(57)【要約】シングルフォーマットプレーヤおよびマルチフォーマットプレーヤのいずれに装填されても、ハイブリッドディスクであることを確実にユーザが認識できるようにすることができる光記録媒体を提供する。光記録媒体は、記録密度が互いに異なる第１記録層および第２記録層が積層されている。そして、第１記録層には、第２記録層の存在を示す管理情報が記録されている。【特許請求の範囲】
【請求項１】
記録密度が互いに異なる第１記録層および第２記録層が積層された光記録媒体であって、
前記第１記録層には、前記第２記録層の存在を示す管理情報が記録されている、光記録媒体。
【請求項２】
前記第１記録層には、リードイン領域が設けられており、
前記管理情報は、前記第１記録層のリードイン領域に記録されている、請求項１に記載の光記録媒体。
【請求項３】
前記第２記録層には、前記第１記録層の存在を示すためのユーザデータが記録されている、請求項２に記載の光記録媒体。
【請求項４】
前記第２記録層には、リードイン領域が設けられており、
前記ユーザデータは、前記第２記録層のリードイン領域とは異なる領域に記録されている、請求項３に記載の光記録媒体。
【請求項５】
前記第２記録層には、さらにデータ領域が設けられており、
前記ユーザデータは、前記第２記録層のデータ領域に記録されている、請求項３に記載の光記録媒体。
【請求項６】
前記ユーザデータは、前記第１記録層の存在を示すための、映像および音声の少なくとも一方に関するデータである、請求項５に記載の光記録媒体。
【請求項７】
前記第２記録層のデータ領域には、前記第２記録層のデータが再生されるときに最初に実行される処理の手順を規定するシーケンス情報が記録されており、
前記シーケンス情報は、前記映像データに基づく映像の表示手順を規定する、請求項５に記載の光記録媒体。
【請求項８】
前記第１記録層および前記第２記録層には、それぞれデータ領域が設けられており、
前記第１記録層のデータ領域には、第１品質のコンテンツに関する第１タイトル情報と、前記第１品質のコンテンツの著作権保護に関する第１著作権管理情報が格納されており、
前記第１記録層のデータ領域には、第２品質のコンテンツに関する第２タイトル情報と、前記第２品質のコンテンツの著作権保護に関する第２著作権管理情報が格納されている、請求項３記載の光記録媒体。
【請求項９】
前記第１著作権管理情報および前記第２著作権管理情報は、互いに異なる著作権保護のための条件が規定されている、請求項８に記載の光記録媒体。
【請求項１０】
光記録媒体から情報を再生する再生装置であって、
前記光記録媒体には、記録密度が互いに異なる第１記録層および第２記録層が積層され、前記第１記録層には、前記第２記録層の存在を示す管理情報が記録されており、
前記光記録媒体が装填されたときに前記管理情報を読み出す読み出し部と、
前記管理情報に基づいて、前記第２記録層が存在することを示す情報を出力する制御部と
を備えた再生装置。
【請求項１１】
前記第１記録層は、前記管理情報が格納されたリードイン領域と、前記第２記録層の存在を示すための、映像および音声の少なくとも一方に関するユーザデータが格納されたデータ領域とを有しており、
前記読み出し部はさらに前記ユーザデータを読み出し、
前記制御部は、前記ユーザデータに基づいて映像および音声の少なくとも一方を出力し、前記第２記録層の存在を通知する、請求項１０に記載の再生装置。
【請求項１２】
前記第２記録層は、前記第１記録層の存在を示すための、映像および音声の少なくとも一方に関するユーザデータが格納されたデータ領域を有しており、
前記読み出し部はさらに前記第２記録層のユーザデータを読み出し、
前記制御部は、前記第２記録層のユーザデータに基づいて映像および音声の少なくとも一方を出力し、前記第１記録層の存在を通知する、請求項１０に記載の再生装置。
【請求項１３】
光記録媒体から情報を再生する再生装置であって、
前記光記録媒体には、記録密度が互いに異なる第１記録層および第２記録層が積層され、前記第１記録層には第１解像度の映像情報が格納され、前記第２記録層には第２解像度の映像情報が格納されており、
出力すべき映像の解像度を特定する出力情報が予め格納されたメモリと、
前記光記録媒体が装填されたときにおいて、前記出力情報に基づいて、前記第１記録層および前記第２記録層のいずれから映像情報を読み出すかを選択する制御部と、
選択された前記第１記録層および前記第２記録層の一方から、映像情報を読み出す読み出し部と
を備えた再生装置。
【請求項１４】
出力装置が受付可能な信号形式を特定する情報を、前記出力情報としてユーザから受け取るインターフェース部をさらに備えた、請求項１３に記載の再生装置。
【請求項１５】
出力装置が受付可能な信号形式を特定する情報を、前記出力情報として前記出力装置から受け取るインターフェース部をさらに備えた、請求項１３に記載の再生装置。
【発明の詳細な説明】
【技術分野】
【０００１】  本発明は、記録密度が異なる複数種類の記録層を有する光学式記録媒体、および、そのような記録媒体の記録層を選択して、その記録層に記録された情報を再生する装置に関する。
【背景技術】
【０００２】  従来から、ＣＤ、ＤＶＤ等の光学式情報記録媒体（光記録媒体）の開発が進められている。【０００３】  近年は、記録密度（または記録フォーマット）が異なる複数の記録層を有する光ディスク、いわゆるハイブリッドディスクが実用化されている。例えば特許文献１は、ＣＤと同じフォーマットの記録層（ＣＤ層）とＤＶＤと同じフォーマットの記録層（ＤＶＤ層）とが形成されたハイブリッドディスクを開示している。また特許文献２は、オーディオ情報に関する高密度（Ｈｉｇｈ  Ｄｅｆｉｎｉｔｉｏｎ；ＨＤ）ディスクと同じフォーマットの記録層（ＨＤ層）と、ＣＤ層とを有するハイブリッドディスクを開示している。【０００４】  ハイブリッドディスクの開発とともに、ハイブリッドディスクの各記録層から情報を再生できる再生装置（マルチフォーマットプレーヤ）の開発も進められている。記録密度が相違する記録層同士は物理的形状が異なっているために光学的な差異が存在する。マルチフォーマットプレーヤはその差異を検出して所望の記録層を特定し、各層の情報に適した信号処理を行って情報を再生できる。特許文献２はそのようなプレーヤを開示している。【０００５】  ハイブリッドディスクの利点の一つは、１フォーマットにしか対応していない再生装置（シングルフォーマットプレーヤ）でも情報を読み出しできることにある。たとえば、シングルフォーマットプレーヤであるＣＤプレーヤおよびＤＶＤプレーヤのいずれも、特許文献１記載のハイブリッドディスク上の情報を読み出すことができる。ＣＤプレーヤを利用すればＣＤ層の情報が再生され、ＤＶＤプレーヤを利用すればＤＶＤ層の情報が再生される。【０００６】  しかし、ハイブリッドディスクの各層の光学的特性は、単一種類の記録層を有する光ディスクの光学的特性とは必ずしも一致しない。そのため、ハイブリッドディスクに対応していない再生装置にハイブリッドディスクが誤って装填されると、偶然にレーザ光が記録層上に合焦することがある。このときは再生装置が壊れてしまう可能性がある。【０００７】  そこで特許文献３は、２層式ディスクが従来の再生装置に装填された場合の再生装置の誤動作防止方法を開示している。たとえば特許文献３の２層式ディスクは、従来のＣＤに対応する記録層（低密度記録層）とそれよりも高密度の記録層とを有している。高密度記録層の所定の領域には、ＣＤプレーヤでも読み出せる低記録密度で、ＣＤではないことを示す情報（ＣＤの信号フォーマットには規定されていない情報）が記録されている。この情報を設けることにより、レーザ光が高密度記録層に合焦したとしても再生装置の再生動作が途中で停止する。よって、ＣＤプレーヤの誤動作が防止される。
【特許文献１】特開平１０−４０７５４号公報
【特許文献２】特開２０００−１５６０３３号公報
【特許文献３】特開２００２−２３７０３４号公報
【発明の開示】
【発明が解決しようとする課題】
【０００８】  ハイブリッドディスクが装填されたとき、シングルフォーマットプレーヤは自らが対応する記録層の検出は可能であるが、他の記録層の検出およびその通知を行うことはない。したがって、ユーザもまたハイブリッドディスクであることを認識できないおそれが生じる。その結果、当該他の記録層を再生に対応するプレーヤをユーザが後に購入したとしても、ユーザはそのディスクを再生しようとは考えない。【０００９】  このとき、ディスクのパッケージやラベル等がユーザの唯一の認識手段であるとするのは非常に不便である。また、ハイブリッドディスクであるか否かを認識するために、ユーザが常に複数種類のシングルフォーマットプレーヤを用意して確認しなければならないのも非現実的である。【００１０】  一方、マルチフォーマットプレーヤを利用するときには、ディスクが装填されてから再生可能状態になるまでに時間がかかるという問題がある。【００１１】  たとえばプレーヤにディスクが装填されたときには、全ての記録層に対してアクセス可能か否かを確かめてそのディスクがハイブリッドディスクか否かを検出している。この処理は時間を要するため、再生可能状態になるまでに時間がかかる。【００１２】  また、他の例として、従来のマルチフォーマットプレーヤは、再生環境やユーザの嗜好に応じて最初にどの記録層の情報から再生するかを選択できない。よって、ユーザはいったん再生を止めて操作しなければならないことがあり、希望する情報を再生するまでに時間を要する。【００１３】  より具体的に説明すると、いまハイブリッドディスクの高密度記録層に高解像度（ＨＤ）の映画の圧縮データが格納され、かつ、通常密度記録層に通常解像度（ＳＤ）の同一映画の圧縮データが格納されているとする。ユーザがＨＤ対応機器、たとえばＨＤデジタルＴＶを利用している場合は、プレーヤは高密度記録層のＨＤ品質の映画を再生すればよい。しかし、ユーザの再生環境がＳＤ対応機器、例えば従来のＮＴＳＣ方式のアナログテレビを利用している場合には、ユーザはまずＨＤ品質の映画の出力を停止させた後でＳＤ品質の映画の出力に切り替える必要がある。これは非常に不便である。なお、設置された機器の設定によっては自動的にＨＤ品質をＳＤ品質に変換する処理が開始されてしまうこともある。変換後のＳＤ品質は、ハイブリッドディスクの通常密度記録層のＳＤ品質よりも画質が劣化するおそれがある。【００１４】  また音声や画像などの著作物は、そのクオリティに応じて配布の条件やコピーの世代管理の条件が異なる場合がある。例えば同一の映画や音楽クリップが異なる品質で通常密度記録層、高密度記録層にそれぞれ通常品質、高品質の圧縮データとして納められていた場合、それぞれ別条件で配布条件やコピーの世代管理を制御することが望まれる。【００１５】  本発明の目的は、シングルフォーマットプレーヤおよびマルチフォーマットプレーヤのいずれに装填されても、ハイブリッドディスクであることを確実にユーザが認識できるような光記録媒体、再生装置および方法を提供することである。また本発明の他の目的は、マルチフォーマットプレーヤが、ハイブリッドディスクのいずれの記録層から情報を再生するかを、再生環境に応じて��動的に、またはユーザの指示に基づいて選択して、所望の情報の再生を素早く開始することである。
【課題を解決するための手段】
【００１６】  本発明による光記録媒体には、記録密度が互いに異なる第１記録層および第２記録層が積層されている。前記第１記録層には、前記第２記録層の存在を示す管理情報が記録されている。【００１７】  前記第１記録層には、リードイン領域が設けられており、前記管理情報は、前記第１記録層のリードイン領域に記録されていてもよい。【００１８】  前記第２記録層には、前記第１記録層の存在を示すためのユーザデータが記録されていてもよい。【００１９】  前記第２記録層には、リードイン領域が設けられており、前記ユーザデータは、前記第２記録層のリードイン領域とは異なる領域に記録されていてもよい。【００２０】  前記第２記録層には、さらにデータ領域が設けられており、前記ユーザデータは、前記第２記録層のデータ領域に記録されていてもよい。【００２１】  前記ユーザデータは、前記第１記録層の存在を示すための、映像および音声の少なくとも一方に関するデータであってもよい。【００２２】  前記第２記録層のデータ領域には、前記第２記録層のデータが再生されるときに最初に実行される処理の手順を規定するシーケンス情報が記録されており、前記シーケンス情報は、前記映像データに基づく映像の表示手順を規定してもよい。【００２３】  前記第１記録層および前記第２記録層には、それぞれデータ領域が設けられており、前記第１記録層のデータ領域には、第１品質のコンテンツに関する第１タイトル情報と、前記第１品質のコンテンツの著作権保護に関する第１著作権管理情報が格納されており、前記第１記録層のデータ領域には、第２品質のコンテンツに関する第２タイトル情報と、前記第２品質のコンテンツの著作権保護に関する第２著作権管理情報が格納されていてもよい。【００２４】  前記第１著作権管理情報および前記第２著作権管理情報は、互いに異なる著作権保護のための条件が規定されていてもよい。【００２５】  本発明による再生装置は、光記録媒体から情報を再生する。前記光記録媒体には、記録密度が互いに異なる第１記録層および第２記録層が積層され、前記第１記録層には、前記第２記録層の存在を示す管理情報が記録されている。前記光記録媒体が装填されたときにおいて、前記再生装置は、前記管理情報を読み出す読み出し部と、前記管理情報に基づいて、前記第２記録層が存在することを示す情報を出力する制御部とを備えている。【００２６】  前記第１記録層は、前記管理情報が格納されたリードイン領域と、前記第２記録層の存在を示すための、映像および音声の少なくとも一方に関するユーザデータが格納されたデータ領域とを有している。前記読み出し部はさらに前記ユーザデータを読み出し、前記制御部は、前記ユーザデータに基づいて映像および音声の少なくとも一方を出力し、前記第２記録層の存在を通知してもよい。【００２７】  前記第２記録層は、前記第１記録層の存在を示すための、映像および音声の少なくとも一方に関するユーザデータが格納されたデータ領域を有している。前記読み出し部はさらに前記第２記録層のユーザデータを読み出し、前記制御部は、前記第２記録層のユーザデータに基づいて映像および音声の少なくとも一方を出力し、前記第１記録層の存在を通知してもよい。【００２８】  ���発明による再生装置は、光記録媒体から情報を再生する。前記光記録媒体には、記録密度が互いに異なる第１記録層および第２記録層が積層され、前記第１記録層には第１解像度の映像情報が格納され、前記第２記録層には第２解像度の映像情報が格納されている。前記再生装置は、出力すべき映像の解像度を特定する出力情報が予め格納されたメモリと、前記光記録媒体が装填されたときにおいて、前記出力情報に基づいて、前記第１記録層および前記第２記録層のいずれから映像情報を読み出すかを選択する制御部と、選択された前記第１記録層および前記第２記録層の一方から、映像情報を読み出す読み出し部とを備えている。【００２９】  前記再生装置は、出力装置が受付可能な信号形式を特定する情報を、前記出力情報としてユーザから受け取るインターフェース部をさらに備えていてもよい。【００３０】  前記再生装置は、出力装置が受付可能な信号形式を特定する情報を、前記出力情報として前記出力装置から受け取るインターフェース部をさらに備えていてもよい。
【発明の効果】
【００３１】  本発明によれば、記録密度の異なる２つの記録層を備えた光記録媒体の一方の記録層上には、他方の記録層の存在を示す管理情報が記録されている。この管理情報に基づいて再生装置が他方の記録層の存在をユーザに提示することにより、ユーザはその層の存在を容易に認識できる。【００３２】  特に本発明によれば、第１記録層のリードイン領域にその管理情報を記録するとともに、第２記録層のデータ領域にも、第１記録層の存在を示すユーザデータを記録する。データ領域には任意の情報が記録可能であるため、第２記録層のデータ構造が規格等によって規定されていたとしても、再生装置はその情報を解釈しユーザに対してその内容を提示することができる。よって、第１記録層のみの再生に対応する再生装置であっても、第２記録層のみの再生に対応する再生装置であっても、ユーザは他方の層の存在を認識できる。
【図面の簡単な説明】
【００３３】
【図１】本実施形態による光ディスク１００の積層構造を示す図である。
【図２】（ａ）は高密度記録層１０２のデータ構造を示す図であり、（ｂ）は低密度記録層１０４のデータ構造を示す図である。
【図３】高密度記録層１０２のリードイン２０１とハイブリッド情報２１との関係を示す図である。
【図４】本実施形態による再生装置３００の構成を示す図である。
【図５】再生装置３００の初期設定処理の手順を示すフローチャートである。
【図６】初期設定画面の表示例を示す図である。
【図７】再生装置３００の再生処理の手順を示すフローチャートである。
【図８】低密度記録層１０４の情報再生処理の手順を示すフローチャートである。
【図９】高密度記録層１０２の存在を示す画面表示例の図である。
【図１０】（ａ）および（ｂ）は、他の例による高密度記録層１０２および低密度記録層１０４のデータ構造の例を示す図である。
【図１１】（ａ）および（ｂ）は、それぞれ低密度記録層１０４の存在を直接的および間接的に示す画面表示例の図である。
【符号の説明】
【００３４】    ２１  ハイブリッド情報
１００  光ディスク
１０１  カバーガラス
１０２  高密度記録層
１０３、１０５  基材
１０４  低密度記録層
２０１、２１１  リードイン
３００  再生装置
３０１  ＣＰＵ
３０２  汎用メモリ
３１０  光ピックアップ
３１１  層識別部
３１２  層指示部
３１３  信号切替部
３１６  ユーザ入力インターフェース（Ｉ／Ｆ）
３１７  映像出力形式メモリ
３１８  接続インターフェース（Ｉ／Ｆ）
３１９  著作権情報処理部
３２０  テレビセット
３２１  ＴＶ
３２２  スピーカ
３３０  ＨＤＭＩケーブル
２０２５  ＳＤ存在情報
２１２５  ＨＤ存在情報
２０２４、２１２４  著作権管理情報
３１４０  ＨＤデコーダ
３１５０  ＳＤデコーダ
【発明を実施するための最良の形態】
【００３５】  以下、添付の図面を参照しながら、本発明の実施形態を説明する。【００３６】  実施形態の説明においては、情報記録媒体として光記録媒体（光ディスク）を例に挙げて説明する。以下の説明においては、光ディスクは再生専用であるとする。【００３７】  さらに、光ディスクは記録密度が互いに異なる２つの記録層が積層されたハイブリッドディスクであるとする。各記録層に記録された情報は、半導体レーザ光源から放射された光ビームを用いて光学的に再生される。なお、１つの記録層には記録密度が異なる複数の領域が存在することはないとする。【００３８】  記録層の種類の組み合わせは種々考えられるが、以下では、ＤＶＤと互換性のあるフォーマットの記録層（低密度記録層）と、ＢＤと互換性のあるフォーマットの記録層（高密度記録層）とを有する光ディスクを例に挙げる。低密度記録層の記録容量は５ギガバイト未満（たとえば４．７ギガバイト）、高密度記録層の記録容量は２０ギガバイト以上（たとえば２５ギガバイト）である。【００３９】  以下、図１から図３を参照しながら、本実施形態による光ディスクの物理構造およびデータ構造を具体的に説明する。【００４０】  図１は、本実施形態による光ディスク１００の積層構造を示す。光ディスク１００は、カバーガラス１０１と、高密度記録層１０２と、基材１０３と、低密度記録層１０４と、基材１０５とを有している。各層はこの順序で積層されている。このうち、高密度記録層１０２および低密度記録層１０４に、情報が記録されている。【００４１】  光ディスク１００から情報が再生されるときには、カバーガラス１０１側から光ビームが放射される。図１には、高密度記録層１０２に合焦した光ビーム１１０−１と、低密度記録層１０４に合焦した光ビーム１１０−２とが、参考のために示されている。【００４２】  以下では低密度記録層１０４を説明し、その後、高密度記録層１０２を説明する。【００４３】  低密度記録層１０４は、光ビームが放射される側の表面から深さ０．６ｍｍの位置に形成されている。その理由は、従来のＤＶＤと互換性を持たせるためである。【００４４】  ＤＶＤは、情報記録層が形成された０．６ｍｍの厚さの透明基板と０．６ｍｍの基材とを貼り合わせて形成されている。そして、情報に対応する凸凹のピット列が、約０．７ミクロンの間隔でスパイラル状に刻まれている。光ビームは０．６ｍｍ厚の基板を透過して情報記録層に照射され、反射光の強度変化として情報が再生される。【００４５】  そこで、低密度記録層１０４もＤＶＤの記録層と同じ深さに設けられ、かつ、約０．７ミクロンの間隔でスパイラル状に刻まれた情報を保持している。低密度記録層１０４に刻まれた情報は、波長約６６０ｎｍの赤色の光ビーム１１０−２によって再生される。【００４６】  次に、高密度記録層１０２は、ＢＤとの互換性を持たせるため、光ビームが放射される側の表面から深さ０．１ｍｍの位置に形成されている。この０．１ｍｍは、カバーガラス１０１の厚さである。高密度記録層１０２と低密度記録層１０４との間には、厚さ０．５ｍｍの基材１０３が存在する。これにより、低密度記録層１０４に合焦する光ビームは合焦ポイントから離れた高密度記録層１０２の影響を受けにくいという利点が生じる。【００４７】  高密度記録層１０２は、低密度記録層１０４および従来のＤＶＤの約５倍の記録密度を達成している。この記録密度を達成するため、情報は約０．３ミクロンの間隔でやはりスパイラル状に凸凹のピットとして刻まれている。高密度記録層１０２のピット長は、低密度記録層１０４のピット長よりも短い。高密度記録層１０２に刻まれた情報は、光ビーム１１０−１によって再生される。光ビーム１１０−１は０．１ｍｍのカバーガラス１０１を透過して高密度記録層１０２に放射され、反射光の強度変化として情報が再生される。【００４８】  なお、カバーガラス１０１は実際には樹脂で成形されていることが多く、厳密なガラスでなくてもよい。また、低密度記録層１０４から情報を再生するために、高密度記録層１０２は半透明であり、所定の割合で光を透過する。またカバーガラス１０１および基材１０３は透明である。また、基材１０５の厚さは０．６ｍｍである。【００４９】  次に、図２を参照しながら、高密度記録層１０２および低密度記録層１０４のデータ構造を説明する。【００５０】  図２（ａ）は高密度記録層１０２のデータ構造を示し、（ｂ）は低密度記録層１０４のデータ構造を示す。各層には、ＢＤおよびＤＶＤの各規格に応じて異なるデータ構造が規定されている。いずれも、紙面左から右への方向が光ディスク１００の内周から外周の方向に対応する。【００５１】  まず図２（ａ）を参照する。高密度記録層１０２は、内周側より、リードイン領域２０１、データ領域２０２、リードアウト領域２０３から構成される。【００５２】  リードイン領域（以下単に「リードイン」と記述する。）２０１は、情報再生装置が情報記録媒体をアクセスする際もっとも高速にアクセスできるように最内周に設けられており、再生機器が安定したトラッキングを行うために設けられると同時に物理的な制御情報が記録されている。【００５３】  高密度記録層１０２のリードイン２０１には、光ディスク１００には高密度記録層１０２とは異なる記録密度の記録層が存在することを示す管理情報（ハイブリッド情報）２１が記録されている。本実施形態においては、ハイブリッド情報２１として、低密度記録層１０４の存在を示す値が与えられている。ハイブリッド情報２１の詳細は、図３を参照しながら後述する。【００５４】  データ領域２０２には、ボリューム情報２０２１、ナビゲーション情報２０２２および高解像度（ＨＤ）タイトル情報２０２３が納められている。ボリューム情報２０２１はファイル構造を示す。ナビゲーション情報２０２２はコンテンツの再生順などの制御情報等を示す。ＨＤタイトル情報２０２３は、高解像度の映像（ＨＤ映像）に関する圧縮デジタルデータである。上述のナビゲーション情報２０２２は、ＨＤタイトル情報２０２３に関するコンテンツの著作権管理情報２０２４を含んでいる。著作権管理情報２０２４はコピー制御情報を含んでおり、たとえばＨＤタイトル情報２０２３の「コピー禁止」、「１世代のみコピー可」、「制約条件なしにコピー可」、「配信禁止」等を制御することができる。【００５５】  リードアウト（以下単に「リードアウト」と記述する。）２０３は、主に再生機器が安定したトラッキングを行うために設けられる。【００５６】  次に、図２（ｂ）を参照する。低密度記録層１０４のデータ構造も、リードイン２１１、データ領域２１２、リードアウト２１３から構成される。リードイン２１１、リードアウト２１３は高密度記録層１０２と同じ目的で設けられる。【００５７】  ただし、低密度記録層１０４のリードイン２１１には、ハイブリッド情報２１に対応する情報は設けられない。その理由は、ＤＶＤ規格との互換性を保つためである。ＤＶＤ規格においては、リードインにハイブリッド情報２１に対応する情報を設けることは規定されていない。したがって、そのような情報が設けられていると、低密度記録層１０４の情報を再生可能な従来の再生装置（ＤＶＤプレーヤー）は再生できなくなる。そこで、従来のＤＶＤプレーヤーを用いた再生を保証するため、ハイブリッド情報２１に対応する情報はリードイン２１１には設けられない。【００５８】  その一方、データ領域２１２において、他の記録密度の層（すなわち高密度記録層１０２）の存在を示す情報が設けられる。以下、データ領域２１２を説明する。【００５９】  データ領域２１２には、ボリューム情報２１２１、ナビゲーション情報２１２２、標準解像度（ＳＤ）タイトル情報２１２３が納められている。【００６０】  ボリューム情報２１２１はファイル構造を示す。ナビゲーション情報２１２２はコンテンツの再生順などの制御情報等を示す。ＳＤタイトル情報２１２３は、標準解像度の映像に関する圧縮デジタルデータである。上述のナビゲーション情報２１２２は、ＳＤタイトル情報２１２３に対する著作権管理情報２１２４を含んでいる。この著作権管理情報２１２４はＳＤタイトル情報２１２３に関するコンテンツに対して設けられている。ＨＤタイトル情報２０２３に関するコンテンツの著作権管理情報２０２４とは異なる点に留意されたい。【００６１】  なお、本実施形態においてはＨＤタイトル情報２０２３およびＳＤタイトル情報２１２３は、品質が異なる同じコンテンツであるとしている。よって、各品質のタイトル情報に対して著作権管理情報を付加することにより、それぞれをあたかも別のコンテンツとして個々に配布条件やコピーの世代管理を制御することが可能になる。その結果、ＨＤタイトル情報２０２３に対する著作権管理情報２０２４とＳＤタイトル情報２１２３に対する著作権管理情報２１２４とは同じ内容が規定される必要はなく、全部が異なっていてもよい。【００６２】  データ領域２１２にはさらに、ＨＤ存在情報２１２５が記録される。ＨＤ存在情報２１２５は、高密度記録層１０２が存在すること、またはより直接的にはＨＤ映像・音声情報がこの光ディスク１００に記録されていることを示している。このＨＤ存在情報２１２５は一般的なＤＶＤプレーヤー等で再生可能な、ＭＰＥＧ規格に準拠した映像情報や音声情報である。すなわちこのＨＤ存在情報２１２５は、任意の情報を記録可能なデータ領域に記録された、一般の映像情報や音声情報として扱われる。ＨＤ存在情報２１２５として格納された映像情報や音声情報は、Ｆｉｒｓｔ  Ｐｌａｙ  ＰＧＣと呼ばれるプログラム・シーケンス実行時に再生される。【００６３】  表１はＨＤタイトルのデータ仕様を示し、���２はＳＤタイトルのデータ仕様を示す。高密度記録層１０２に記録可能な情報量は低密度記録層１０４の情報量の約５倍である。よって高密度記録層１０２にはより多くの画素数（すなわち）の映像（特に動画）を記録できる。【００６４】
【表１】
2006080350.tif 000002
【００６５】
【表２】
2006080350.tif 000003
【００６６】  ＨＤタイトル情報２０２３は、たとえばＭＰＥＧトランスポートストリームのフォーマットで記録される。ＭＰＥＧトランスポートストリームは、少なくとも映像ストリームのパケットと音声ストリームのパケットとが多重化されて構成される。【００６７】  表１に示すように、ＨＤタイトルの映像ストリームの符号化方式はＭＰＥＧ２規格またはＭＰＥＧ４規格に準拠している。映像の最大画素数は水平方向に１９２０画素、垂直方向に１０８０画素である。同様にＨＤタイトルの音声ストリームの符号化方式はデジタル放送と親和性の高いＡＡＣ規格に準拠している。【００６８】  一方、ＳＤタイトル情報２１２３は、たとえばＭＰＥＧプログラムストリームのフォーマットで記録される。ＭＰＥＧプログラムストリームは、映像ストリームのパケット（またはパック）と音声ストリームのパケット（またはパック）とが多重化されて構成される。【００６９】  表２に示すように、ＳＤタイトルの映像ストリームの符号化方式はＭＰＥＧ２規格に準拠している。映像の最大画素数は水平方向に７２０画素、垂直方向に４８０画素である。同様にＳＤタイトルの音声ストリームの符号化方式はＡＣ−３規格に準拠している。【００７０】  本実施形態においては、ＨＤタイトルとＳＤタイトルとは同じコンテンツであり、その映像／音声の品質が異なっているとする。映像品質はビットレートの大きさに比例しており、たとえばＨＤ映像の最大ビットレートは３４Ｍｂｐｓ、ＳＤ映像の最大ビットレートは１０Ｍｂｐｓである。映像は音声もより分解能が高いため、その情報量は大きくなる。【００７１】  なお、高密度記録層１０２には十分なデータ記憶容量があるため、低密度記録層１０４には存在しない付加コンテンツ、いわゆるボーナスコンテンツが納められることもある。【００７２】  次に、図３を参照しながらハイブリッド情報２１を詳細に説明する。図３は、高密度記録層１０２のリードイン２０１とハイブリッド情報２１との関係を示す。【００７３】  リードイン２０１は種々の領域に区分されており、その一つとしてＰＩＣ（Ｐｅｒｍａｎｅｎｔ  Ｉｎｆｏｒｍａｔｉｏｎ  ＆  Ｃｏｎｔｒｏｌ  ｄａｔａ）領域２０１１が存在する。ＰＩＣ領域２０１１はさらに１以上のＤＩ（Ｄｉｓｋ  Ｉｎｆｏｒｍａｔｉｏｎ）領域（＃１、・・・、＃ｎ）を備えている。そして、たとえばＤＩ領域（＃１）２０１２内の所定のデータ位置にハイブリッド情報２１が記録されている。【００７４】  ハイブリッド情報２１は、低密度記録層１０４が存在するか否かを規定できればよく、その具体的なデータ構造は問わない。たとえば、値”００”のときには低密度記録層１０４が存在しない、すなわちその光ディスクがハイブリッドディスクではないことを示し、”０１”のときには低密度記録層１０４が存在することを示すとして取り決めればよい。または、単に１ビットで表してもよい。【００７５】  なお、ハイブリッド情報２１がハイブリッドディスクではないことを示す値（”００”）を取り得るとした理由は、たとえばハイブリッドディスクではないＢＤ−ＲＯＭ等においてもハイブリッド情報２１を設けることを想定しているためである。ハイブリッドディスクの高密度記録層１０２とＢＤ−ＲＯＭの記録層の各データ構造は同一にできるため、再生装置は、ハイブリッド情報の値に基づいてどのような光ディスクが挿入されたかを判断することができる。【００７６】  次に、図４を参照しながら、上述の光ディスク１００から情報を再生可能な再生装置の構成および動作を説明する。【００７７】  図４は、本実施形態による再生装置３００の構成を示す。また図４には、再生装置３００と接続されるテレビセット３２０を示している。再生装置３００とテレビセット３２０とは、ＨＤＭＩケーブル３３０を介して接続されている。【００７８】  再生装置３００は、高密度記録層１０２および低密度記録層１０４を有する光ディスク１００の各層から、情報を再生できる。再生装置３００は、光ディスク１００が挿入または装填されると後述の処理にしたがって光ディスク１００から種々の情報を読み出す。そして、テレビセット３２０のテレビ（ＴＶ）３２１およびスピーカ３２２から出力可能な品質で映像情報および音声情報を出力する。【００７９】  なお再生装置３００は、低密度記録層１０４と同じ記録密度の従来のＤＶＤからの情報の再生、および、高密度記録層１０２と同じ記録密度のＢＤからの情報の再生にも対応している。【００８０】  再生装置３００は、中央制御部（ＣＰＵ）３０１と、汎用メモリ３０２と、光ピックアップ３１０と、層識別部３１１と、層指示部３１２と、信号切替部３１３と、ユーザ入力インターフェース（Ｉ／Ｆ）３１６と、映像出力形式メモリ３１７と、接続インターフェース（Ｉ／Ｆ）３１８と、著作権情報処理部３１９と、ＨＤデコーダ３１４０と、ＳＤデコーダ３１５０とを有している。【００８１】  これらの構成要素のうち、光ピックアップ３１０、ユーザ入力Ｉ／Ｆ３１６、映像出力形式メモリ３１７（以下「形式メモリ３１７」という）および接続Ｉ／Ｆ３１８は、独立したハードウェアとして設けられる。またＨＤデコーダ３１４０およびＳＤデコーダ３１５０は、それぞれ独立したデコーダ回路（チップ）として設けることもできるし、信号切替部３１３とともに、１つのデコーダチップとして設けることもできる。または、ＨＤデコーダ３１４０およびＳＤデコーダ３１５０の一部の処理回路を共用してもよい。【００８２】  一方、層識別部３１１、層指示部３１２、信号切替部３１３および著作権情報処理部３１９は、それぞれが独立した専用回路として設けられてもよいし、たとえばＣＰＵ３０１がコンピュータプログラムを実行することによって、各構成要素の後述の機能を実現してもよい。理解の容易のため、図４では各構成要素をＣＰＵ３０１とは区別して記載している。【００８３】  以下、各構成要素の機能を説明する。【００８４】  ＣＰＵ３０１は、再生装置３００の動作の全体を制御する。【００８５】  汎用メモリ３０２は周知のランダムアクセスメモリ（ＲＡＭ）であり、ＣＰＵ３０１が動作する際のコンピュータプログラム、一時データ等を格納する。【００８６】  光ピックアップ３１０は、光ビームを光ディスク１００に放射し、高密度記録層１０２または低密度記録層１０４に合焦させる。併せて、高密度記録層１０２または低密度記録層１０４のトラックに追従するようにトラッキングを行う。そして、高密度記��層１０２または低密度記録層１０４から情報を再生し、再生信号を出力する。【００８７】  層識別部３１１は光ピックアップ３１０によって読み出された信号から、光ピックアップ３１０が低密度記録層１０４、高密度記録層１０２どちらの層に合焦しトラッキングしているかを判定する。【００８８】  層指示部３１２は層識別部３１１の判定と、形式メモリ３１７の内容に対応して再生するべき記録層を判断し、光ピックアップ３１０に合焦する記録層を指示する。また層指示部３１２は、信号切替部３１３に再生信号の切替を指示する。【００８９】  信号切替部３１３は、光ピックアップ３１０からの再生信号の伝送経路を切り替えることにより、ＨＤデコーダ３１４０またはＳＤデコーダ３１５０のいずれで処理させるかを選択する。光ディスク１００が挿入されているときには、信号切替部３１３は情報の再生開始時に切り替えるのみならず、任意のタイミングで伝送経路を切り替えることができる。ＢＤが挿入されているときには、情報の再生開始時にＨＤデコーダ３１４０への再生経路に切り替える。また、ＤＶＤが挿入されているときにはＳＤデコーダ３１５０への再生経路に切り替える。【００９０】  なお、図４に示す信号切替部３１３はハードウェアスイッチとして記載されている。しかし、これは理解の容易のための例であり、ソフトウェア的に切り替えを行ってもよい。たとえば、ソフトウェア再生装置３００のＣＰＵ３０１、または、ＨＤデコーダ３１４０およびＳＤデコーダ３１５０を統合したデコーダチップがソフトウェアを実行したときに、ＨＤデコーダ３１４０およびＳＤデコーダ３１５０のいずれを機能させるかの分岐判断処理の一部として実装してもよい。【００９１】  ＨＤデコーダ３１４０は、信号処理部３１４１および伸長部３１４２を含む。信号処理部３１４１は、高密度記録層１０２から再生された信号の変復調やエラー訂正を行う。処理された信号は、符号化された映像情報および音声情報、さらには著作権管理情報を含んでいる。信号処理部３１４１は、符号化された映像情報および音声情報と著作権管理情報とを分離して、それぞれを伸張部３１４２および著作権情報処理部３１９に送る。伸長部３１４２は、符号化された映像情報および音声情報を復号化して、映像・音声情報を生成する。【００９２】  ＳＤデコーダ３１５０は、信号処理部３１５１および伸長部３１５２を含む。信号処理部３１５１は、低密度記録層１０４から再生された信号の変復調やエラー訂正を行う。処理された信号は、符号化された映像情報および音声情報、さらには著作権管理情報を含んでいる。信号処理部３１５１は、符号化された映像情報および音声情報と著作権管理情報とを分離して、それぞれを伸張部３１５２および著作権情報処理部３１９に送る。伸長部３１５２は、符号化された映像情報および音声情報を復号化して、映像・音声情報を生成する。【００９３】  高密度記録層１０２および低密度記録層１０４にそれぞれ格納された解像度の映像・音声コンテンツに対応した著作権管理情報を各記録層に設けているため、最適な著作権管理の仕組みを提供できる。【００９４】  ユーザ入力Ｉ／Ｆ３１６および接続Ｉ／Ｆ３１８は、それぞれ、ユーザおよびテレビセット３２���と、再生装置３００との間の情報の授受を担っている。【００９５】  ユーザ入力Ｉ／Ｆ３１６は、ユーザがたとえばリモコン等を介してテレビセット３２０の再生性能を特定するための性能情報を入力する際に利用される。性能情報とは、テレビセット３２０が受付可能な信号形式を特定する情報を意味しており、本実施形態においては「映像の信号形式」を特定する情報を想定している。具体例を挙げると、性能情報は、テレビセット３２０がＨＤ映像およびＳＤ映像の両方の再生機能を有するか、ＳＤ映像のみの再生機能を有するかの情報である。【００９６】  一方、接続Ｉ／Ｆ３１８は、ＨＤＭＩ規格に準拠しており、テレビセット３２０と双方向の通信が可能である。接続Ｉ／Ｆ３１８は、テレビセット３２０に対してその性能情報を要求し、テレビセット３２０は自己の性能情報を接続Ｉ／Ｆ３１８に送る。これらの処理は規格に従って自動的に行われ、ユーザは介在する必要はない。【００９７】  形式メモリ３１７は、再生装置３００が出力すべき信号形式を特定する情報（以下「出力特定情報」という。）を格納する。形式メモリ３１７はたとえば書き換え可能なＥＥＰＲＯＭであり、一旦設定されると、その後再生装置３００の電源がオフされても出力特定情報を保持する。【００９８】  出力特定情報は、ユーザ入力Ｉ／Ｆ３１６および接続Ｉ／Ｆ３１８を介して取得された、テレビセット３２０の性能情報に基づいてＣＰＵ３０１によって生成される。本実施形態では、性能情報がＨＤ映像およびＳＤ映像の両方の再生機能を有することを示すときには「ＢＤ」を示す値、ＳＤ映像のみの再生機能を有するときには「ＳＤ」を示す値が格納される。なお再生装置３００の出荷時においては、出力特定情報として「自動検出」を示す値が格納されている。【００９９】  著作権情報処理部３１９は、著作権管理情報を接続Ｉ／Ｆ３１８に送り、テレビセット３２０に送信される映像／音声情報に関連する著作権保護処理、たとえばコピーの世代管理情報の付加や暗号化などの処理を行わせる。【０１００】  接続Ｉ／Ｆ３１８は、著作権情報処理部３１９からの出力、および、伸張部３１４２または伸張部３１５２からの出力を受け取って、それらを１つに統合してテレビセット３２０に送る。なお、これらの出力を受け取って多重化し、その多重化したデータストリームを接続Ｉ／Ｆ３１８に送る構成要素を設けてもよい。接続Ｉ／Ｆ３１８は多重化されたそのデータストリームを受け取ってテレビセット３２０に送ることになる。【０１０１】  次に、図５〜９を参照しながら再生装置３００の動作を説明する。【０１０２】  図５は、再生装置３００の初期設定処理の手順を示す。この処理は、光ディスク１００が挿入されたときに、高密度記録層１０２および低密度記録層１０４のいずれの層の情報を先に再生するかを決定するために行われる。よって、この処理はユーザが再生装置３００に最初に電源を投入したとき、または、最初にハイブリッドディスクが挿入されたときに、ＣＰＵ３０１によって実行される。ただし、ユーザはリモコン（図示せず）等を操作して任意のタイミングでこの処理を実行させることができる。【０１０３】  まずステップＳ５１において、ＣＰＵ３０１は初期設定画面���ＴＶ３２１に表示させる。初期設定画面のデータは、たとえば汎用メモリ３０２に格納されており、ＣＰＵ３０１の指示に基づいて接続Ｉ／Ｆ３１８からそのデータをテレビセット３２０に出力すればよい。【０１０４】  次に、ステップＳ５２において、ＣＰＵ３０１は形式メモリ３１７から出力特定情報を読み出す。そしてその結果を初期設定画面上に反映する。【０１０５】  図６は、初期設定画面の表示例を示す。画面上には、３つの選択肢６１〜６３が表示されている。上述のように、再生装置３００の出荷時には形式メモリ３１７には「自動検出」を示す値が格納されているため、選択肢６１がハイライト表示されている。【０１０６】  再び図５を参照する。ステップＳ５３以降は、ユーザが選択肢６１〜６３のいずれを選択したかに応じた処理が行われる。【０１０７】  ステップＳ５３では、ＣＰＵ３０１はユーザの選択が「自動検出」か否かを判定する。「自動検出」のときには処理はステップＳ５４に進み、そうでないときにはステップＳ５５に進む。【０１０８】  ステップＳ５４以降は、ＣＰＵ３０１は光ディスク１００の記録層１０２および１０４のうち、いずれの記録層の情報を最初に再生するかを自動的に検出する処理である。ステップＳ５４では、ＣＰＵ３０１は接続Ｉ／Ｆ３１８に対して、ＨＤＭＩ規格の手続きに基づいてテレビセット３２０の性能情報、具体的にはＴＶ３２１の解像度を取得させる。【０１０９】  次のステップＳ５６において、性能情報に基づいて、ＴＶ３２１がＳＤ映像のみの再生機能を有するか否か、すなわちＴＶは標準解像度か否かを判定する。標準解像度のときは、処理はステップＳ５７に進み、そうでないとき（すなわち高解像度）のときはステップＳ５８に進む。【０１１０】  ステップＳ５７においては、ＣＰＵ３０１は「ＤＶＤ」を示す値を出力特定情報として形式メモリ３１７に格納する。ステップＳ５８においては、ＣＰＵ３０１は「ＢＤ」を示す値を出力特定情報として形式メモリ３１７に格納する。【０１１１】  一方、ステップＳ５５においては、ＣＰＵ３０１はユーザの選択が「ＢＤ」か否かを判定する。「ＢＤ」のときは、処理はステップＳ５８に進み、そうでないとき（すなわち「ＤＶＤ」のとき）はステップＳ５９に進む。ステップＳ５９の処理はステップＳ５７と同じであるため、その説明は省略する。【０１１２】  上述の処理にしたがって出力特定情報が形式メモリ３１７に格納されると、ＣＰＵ３０１はその情報に基づいて、光ディスク１００の記録層から映像・音声等を再生する。出力特定情報が一旦設定された後は、再度図５の処理が実行されるまではその情報に基づいて再生処理を行えばよい。【０１１３】  なお、「常に自動検出」という選択肢として設け、光ディスク１００が挿入されるたびにＣＰＵ３０１にステップＳ５４、Ｓ５６〜Ｓ５８の処理を実行させてもよい。これにより、標準解像度のＴＶ３２１で視聴していたユーザが高解像度のＴＶを新たに購入した場合でも、ユーザは再生装置３００の設定を変更することなく、自動的にＨＤ映像・音声を楽しむことができる。【０１１４】  次に、図７を参照しながら再生装置３００の再生処理を説明する。【０１１５】  図７は、再生装置３００の再生処理の手順���示す。【０１１６】  まずステップＳ７１において、ＣＰＵ３０１は、センサ（図示せず）等からの信号に基づいてディスクの挿入を検出する。上述のように、再生装置３００はハイブリッドディスク（光ディスク１００）のみならず、ＤＶＤおよびＢＤからの情報の再生にも対応する。よって、以下の処理において、どの光ディスクが挿入されたかを特定することとなる。【０１１７】  次に、ステップＳ７２において、ＣＰＵ３０１は光ピックアップ３１０を動作させて光ビームを放射させる。そして、高密度記録層１０２の深さと同じ深さ、すなわちディスクの光ビーム放射側の表面から深さ０．１ｍｍに、光ビームを合焦させる。このときの光ビームの波長は約４０５ｎｍである。【０１１８】  ステップＳ７３において、層識別部３１１は光ビームの反射率等を測定して、その深さに記録層が存在するか否かを判定する。記録層が存在するときは、処理はステップＳ７４に進む。このときは、挿入された光ディスクは光ディスク１００またはＢＤである。記録層が存在しないときは、処理はステップＳ７５に進む。【０１１９】  ステップＳ７４においては、ＣＰＵ３０１は光ピックアップ３１０を光ディスクの最内周付近に移動させて、リードインの所定位置にハイブリッド情報２１が存在するか否かを判定する。存在するときは、処理はステップＳ７６に進み、存在しないときはステップＳ７８に進む。ハイブリッド情報２１が存在すれば、挿入された光ディスクは光ディスク１００であると特定され、存在しなければＢＤであると特定される。【０１２０】  ステップＳ７６においては、ＣＰＵ３０１は光ピックアップ３１０を用いてハイブリッド情報２１を読み出す。そしてステップＳ７７において、ハイブリッド情報２１を解析して低密度記録層が存在するか否かを判定する。【０１２１】  低密度記録層が存在するときは、処理はステップＳ７９に進む。このときＴＶ３２１上に、たとえば「この光ディスクはハイブリッドディスクです」というメッセージを表示し、またはその音声を出力して、ユーザに通知する。これにより、ユーザは、挿入した光ディスクがハイブリッドディスクであること、すなわち高密度および低密度の記録層が存在することを知ることができる。なお低密度記録層が存在しないときは、処理はステップＳ７８に進む。このとき「この光ディスクはＢＤです」というメッセージを映像表示または音声出力し、ユーザに通知してもよい。【０１２２】  提示されるメッセージの情報は、たとえば汎用メモリ３０２に格納されている。ＣＰＵ３０１はその情報を読み出して接続Ｉ／Ｆ３１８を介してＴＶ３２１またはスピーカ３２２に送信する。【０１２３】  ステップＳ７８では、光ピックアップ３１０はすでに光ビームが合焦している光ディスク１００の高密度記録層１０２またはＢＤの記録層から情報を読み出し、その情報を再生する。すなわち、ＨＤデコーダ３１４０を用いて映像・音声情報を復号化し、ＴＶ３２１およびスピーカ３２２に出力する。その後、処理は終了する。【０１２４】  ステップＳ７９においては、出力特定情報が「ＢＤ」を示す値か否かを判定する。「ＢＤ」を示しているときは、処理はステップＳ７８に進み、示していないとき、すなわちＤＶＤを示して���るときはステップＳ７５に進む。【０１２５】  ステップＳ７５では、ＣＰＵ３０１は光ピックアップ３１０を動作させて光ビームを放射させる。そして、低密度記録層１０４の深さと同じ深さ、すなわちディスクの光ビーム放射側の表面から深さ０．６ｍｍに、光ビームを合焦させる。このときの光ビームの波長は約６５０ｎｍに変更される。【０１２６】  次のステップＳ８０において、層識別部３１１は光ビームの反射率等を測定して、その深さに記録層が存在するか否かを判定する。記録層が存在しないときは、処理はステップＳ８１に進む。一方、記録層が存在するときはステップＳ８２に進む。このときは、挿入された光ディスクは光ディスク１００またはＤＶＤである。【０１２７】  ステップＳ８１においては、ディスクの種別判別エラーが生じているとして、リトライ処理を行い、その後ステップＳ７２に戻る。なお、リトライ処理を所定回数行ったとしても挿入されたディスクの記録層が検出できないときは、処理を終了してもよい。【０１２８】  ステップＳ８２では、光ピックアップ３１０はすでに光ビームが合焦している光ディスク１００の低密度記録層１０４またはＤＶＤの記録層から情報を読み出し、その情報を再生する。このときは、ＳＤデコーダ３１５０を用いて映像・音声情報を復号化し、ＴＶ３２１およびスピーカ３２２に出力する。【０１２９】  ここで留意すべきは、光ディスク１００の低密度記録層１０４の情報を再生したときと、ＤＶＤの記録層の情報を再生したときとでは、ユーザに提示される映像等が異なる点である。以下、図８および図９を参照しながら、低密度記録層１０４の再生処理を説明する。【０１３０】  なお、以下では図８および図９を再生装置３００の処理として説明するが、その内容は、従来の再生専用のＤＶＤプレーヤが低密度記録層１０４を通常のＤＶＤの記録層として再生処理を行うときにも同様に適用される。図８および図９によって得られる効果は、そのようなＤＶＤプレーヤを用いて再生したときにもっとも顕著に現れる。【０１３１】  図８は、低密度記録層１０４の情報再生処理の手順を示す。この処理に際しては、まず低密度記録層１０４のリードイン２１１に格納された物理的な制御情報が読み出され、所定の前処理が行われる。【０１３２】  ステップＳ８５において、ＣＰＵ３０１は光ピックアップ３１０に指示して、データ領域２１２からナビゲーション情報２１２２を読み出し、Ｆｉｒｓｔ  Ｐｌａｙ  ＰＧＣを実行する。Ｆｉｒｓｔ  Ｐｌａｙ  ＰＧＣは、低密度記録層１０４のデータ領域２１２の再生時に常に最初に実行される処理である。【０１３３】  光ディスク１００の低密度記録層１０４には、Ｆｉｒｓｔ  Ｐｌａｙ  ＰＧＣにおいてＨＤ存在情報２１２５を含む画面が表示されるように構成されている。よって、再生装置３００は、低密度記録層１０４の情報再生開始時において、映像の一部に、高密度記録層１０２の存在、より具体的にはＨＤ映像、音声の情報の存在を示す画面をユーザに提示する。【０１３４】  図９は、高密度記録層１０２の存在を示す画面表示例である。この表示により、ユーザは、高密度記録層に対応した再生機器およびＨＤテレビを使用すればＨＤ映像等を再生可能なことを認識できる。再��装置３００およびＨＤテレビを利用しているユーザであれば、この表示を見た時点で、図６に示す初期設定画面を表示させて高密度記録層１０２の情報再生処理を行うように処理を変更させることができる。一方、再生専用のＤＶＤプレーヤを利用するユーザは、光ディスク１００にＨＤタイトルが記録されていることを認識できるため、将来ＢＤプレーヤおよびＨＤテレビを購入したときには、そのＨＤタイトルを楽しむことができる。【０１３５】  なおＨＤ存在情報２１２５を含む画面の表示は、必ずしもＦｉｒｓｔ  Ｐｌａｙ  ＰＧＣにおけるシーケンスそのものの中で行われる必要はない。たとえばＦｉｒｓｔ  Ｐｌａｙ  ＰＧＣ終了後に強制的に実行されるコマンドによって、処理が分岐したときに、その分岐後の実行シーケンス中で画面を表示してもよい。または、図７に代えて低密度記録層１０４に先に合焦させ、実質的に最初に実行される処理においてこの情報を表示させてもよい。【０１３６】  この後、処理はステップＳ８６に進み、ＳＤタイトルの再生が開始される。具体的には、ステップＳ８６１に示すメニューの表示、およびステップＳ８６２に示す本編の再生が行われる。その後、処理は終了する。【０１３７】  以上、本実施形態による再生装置３００の動作を説明した。図７のステップＳ７４、ステップＳ７６およびＳ７７までの処理によれば、高密度記録層１０２および低密度記録層１０４の両方に光ビームを合焦させて検出する必要はない。よって、両記録層に実際に光ビームを合焦させて検出するときと比較すると処理が非常に高速化される。【０１３８】  さらに、上述のステップＳ７９によれば、高密度記録層１０２および低密度記録層１０４を有する光ディスク１００が挿入されたときには、出力特定情報に基づいて高密度記録層１０２および低密度記録層１０４のいずれの情報から再生するかが決定されている。そしてステップＳ７９以降の処理によって、その決定に従って情報が再生される。出力特定情報は、どの記録層の情報を再生するかについて、ユーザの再生環境とともに、ユーザの希望が反映されているため、再生装置３００は、ユーザが視聴可能で、かつ希望する情報の再生を素早く開始することができる。【０１３９】  なお、再生装置３００が仮にＨＤ映像・音声をＳＤ映像・音声にダウンコンバートする機能を有していたとしても、その機能は光ディスク１００が挿入されたときには使用しなくてもよい。再生装置３００は、ステップＳ７７において低密度記録層１０４の存在を認識しているため、低密度記録層１０４からＳＤ映像・音声を読み出して再生するように動作を制御できるからである。よって、ＢＤが挿入されたときにのみ、ダウンコンバート機能を使用すればよい。【０１４０】  上述の実施形態の説明においては、同じコンテンツが異なる品質で光ディスク１００の高密度記録層１０２および低密度記録層１０４にそれぞれ格納されるという前提を設けた。そのため、特にユーザが指定しない限り、再生装置３００は、ＨＤ品質で再生できる環境下では高密度記録層１０２のＨＤタイトル情報２０２３を優先して再生し、ＳＤ品質でのみ再生できる環境下では低密度記録層１０４のＳＤタイトル情報２１２３を再生するとした（図５のステップＳ５６〜Ｓ５８および図７のステップＳ７８〜Ｓ７９）。【０１４１】  しかし、異なるコンテンツが高密度記録層１０２および低密度記録層１０４にそれぞれ格納されることもある。たとえば高密度記録層１０２に映画のコンテンツがＨＤ品質で格納され、低密度記録層１０４にはその映画の特典コンテンツ（たとえば映画のメーキング映像・音声）がＳＤ品質で格納されることがある。または、高密度記録層１０２に映画のコンテンツがＨＤ品質で格納され、低密度記録層１０４にはその映画とは関係のないボーナスコンテンツがＳＤ品質で格納されることがある。【０１４２】  このようなときには、高密度記録層１０２のＨＤタイトル情報２０２３からＨＤ映像が再生されたとしても、ユーザに対して、低密度記録層１０４が存在すること、さらには異なるコンテンツが格納されていることを通知することが好ましい。そこで、以下図１０を参照しながら、新たなデータ構造を提案する。【０１４３】  図１０（ａ）および（ｂ）は、他の例による高密度記録層１０２および低密度記録層１０４のデータ構造の例を示す。高密度記録層１０２に関する図１０（ａ）のデータ構造が図２（ａ）のデータ構造と相違する点は、高密度記録層１０２のデータ領域２０２に新たにＳＤ存在情報２０２５が設けられていることである。【０１４４】  ＳＤ存在情報２０２５は、たとえば低密度記録層１０４が存在すること、および／または、ＨＤ品質のコンテンツとは別にＳＤ品質のコンテンツが存在することを示す映像、音声の情報として設けられる。このＳＤ存在情報２０２５は、ＨＤタイトル情報２０２３の再生開始前、再生終了後等の任意のタイミングで表示される。そのタイミング（再生順序）は、たとえばナビゲーション情報２０２２に規定される。【０１４５】  一方、低密度記録層１０４に関する図１０（ｂ）のデータ構造は図２（ｂ）のデータ構造と同じである。ただし、ＨＤ存在情報２１２５の映像・音声情報は、図９に示す表示内容とは異なる内容であってもよい。たとえば、この記録層のコンテンツはボーナスコンテンツであり、本編の再生はＢＤプレーヤでなければできないことを示す映像・音声情報が、ＨＤ存在情報２１２５として格納されていてもよい。再生装置３００は、高密度記録層１０２の情報再生開始時にハイブリッド情報２１を読み出して、低密度記録層１０４の有無を確認する。そして低密度記録層１０４が存在することが示されているときには、高密度記録層１０２中のＳＤ存在情報２０２５を読み出して、低密度記録層１０４の存在、または、ＳＤ映像、音声の存在を示す映像信号および／または音声信号をＴＶ３２１に出力する。【０１４６】  たとえば図１１（ａ）は、低密度記録層１０４の存在を示す画面表示例である。図１１（ａ）に示す「ＤＶＤ層」が低密度記録層１０４に対応する。この例では、ユーザに対しＢＤ層およびＤＶＤ層のいずれの情報を再生するかが求められている。ユーザがＢＤ層を選択するときはリモコン（図示せず）等を操作して枠１１１をハイライトさせて、選択内容を確定すればよい。一方、ユーザがＤＶＤ層を選択するときはリモコン（図示せず）等を操作して枠１１２をハイライトさせて、選択内容を確定すればよい。図１１（ａ）では、枠１１２がハイライトされている。そして、再生装置３００は、選択された記録層の情報を再生する。必要に応じて、ＣＰＵ３０１は光ピックアップ３１０に対して光ビームの波長を変更させ、また層指示部３１２に再生するべき記録層を指示し、層指示部３１２は光ビームを合焦させる記録層を切り替える。また、以前に説明した場合と同様に、層指示部３１２は信号切替部３１３からの再生信号をＳＤデコーダ３１５０への再生経路に切り替える。【０１４７】  なお、図１１（ａ）に示す表示内容は例であり、他の表示内容に基づいてハイブリッドディスクであることをユーザに通知してもよい。たとえば図１１（ｂ）は、ユーザに対して標準画質のコンテンツが存在することを通知する画面表示例を示す。図１１（ｂ）の例では、映画本編の情報は高密度記録層１０２に記録され、特典コンテンツは低密度記録層１０４に記録されているとする。【０１４８】  この表示方法によれば、ユーザは特典コンテンツの存在を知ることにより、間接的に低密度記録層１０４の存在を認識できるといえる。ユーザはハイブリッドディスクであることを意識しなくてよいため、どのような年齢層のユーザにも理解が容易である。ユーザは、リモコン（図示せず）等を操作して、視聴を希望するコンテンツ名が表示された枠１１３および１１４の一方をハイライトさせて確定することにより、間接的にＢＤ層またはＤＶＤ層を選択できる。【０１４９】  図１１（ａ）及び（ｂ）で例示されるメニュー画面は、ＳＤ存在情報２０２５に基づいて再生装置３００によって表示される。このようなメニュー画面を構成するために、ＳＤ存在情報２０２５はハイライトされる枠の図形を構成するグラフィックデータを含んでいる。なお、多くの場合ハイライトされる図形は背景画像に重ね合わされて表示されるが、背景画像は圧縮された画像データである。これらのデータはＨＤデコーダ３１４０で伸長されて表示される。【０１５０】  本実施形態の説明においては、枠１１２または枠１１４に対応するグラフィックデータは「低密度記録層への切替及びその再生」を示すコマンドとリンクしており、ＣＰＵ３０はこのコマンドを実行することにより上記した処理を実行する。このコマンドはＳＤ存在情報の一部として格納することができるが、これに限るものではなく例えばナビゲーション情報２０２２に格納してもよい。【０１５１】  なお、高密度記録層１０２から情報を再生できる再生装置３００であれば、低密度記録層１０４にＨＤ存在情報２１２５とは別の新たなＨＤ存在情報（図示せず）に基づいて、図１１（ａ）および／または図１１（ｂ）に示す画面を表示してもよい。これにより、ユーザはＢＤ層のコンテンツおよびＤＶＤ層のコンテンツを任意に切り替えて視聴できる。ただし、この場合にはＤＶＤ層（低密度記録層）しか再生できない従来の再生装置が誤動作しないように、たとえば従来の再生装置がアクセスしない光ディスクの領域に新たなＨＤ存在情報を配置する必要がある。【０１５２】  上述の実施形態においては、ＨＤＭＩインターフェースによってテレビセット３２０の性能情報を自動的に取得し、その結果を映像出力形式メモリ３１７に蓄積するとして説明した。しかし、これを、常にユーザが初期設定画面からデフォルトとして設定するようにしてもよい。このようにすれば、双方向のインターフェースを備えない再生装置、または接続するテレビセット３２０が双方向のインターフェースを備えていない場合にも本発明を適用できる。【０１５３】  上述の実施形態においては、ハイブリッド情報２１は高密度記録層１０２のリードインに格納されるとしたが、これは例である。光ディスクの最小記録単位であるセクタのヘッダ情報部分に、ハイブリッド情報２１を複数格納してもよい。【０１５４】  また、上述の実施形態では光ディスク１００には高密度記録層１０２および低密度記録層１０４が各１層存在するとして説明した。しかし、本発明はこれに限定されない。光ディスク１００においては、高密度記録層１０２および低密度記録層１０４の少なくとも一方が複数存在してもよい。【０１５５】  実施形態の説明においては円盤状の光ディスクを例に挙げたが、これは例である。他の例として、光学的にデータを読み出しおよび書き込みできるカード等であってもよい。
【産業上の利用可能性】
【０１５６】  本発明による光記録媒体は、記録密度の異なる２つの記録層を備えた光記録媒体の一方の記録層上には、他方の記録層の存在を示す管理情報が記録されている。この管理情報に基づいて再生装置が他方の記録層の存在をユーザに提示することにより、ユーザはその層の存在を容易に認識できる。よって、本発明による光記録媒体およびその光記録媒体からの情報の再生に対応する再生装置を用いると、ユーザに対して情報再生時の利便性を非常に高くすることができる。
【図１】
2006080350.tif 000004
【図２】
2006080350.tif 000005
【図３】
2006080350.tif 000006
【図４】
2006080350.tif 000007
【図５】
2006080350.tif 000008
【図６】
2006080350.tif 000009
【図７】
2006080350.tif 000010
【図８】
2006080350.tif 000011
【図９】
2006080350.tif 000012
【図１０】
2006080350.tif 000013
【図１１】
2006080350.tif 000014
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
記録密度が互いに異なる第１記録層および第２記録層が積層された光記録媒体であって、
前記第１記録層には、前記第２記録層の存在を示す管理情報が記録されている、光記録媒体。
【請求項２】
前記第１記録層には、リードイン領域が設けられており、
前記管理情報は、前記第１記録層のリードイン領域に記録されている、請求項１に記載の光記録媒体。
【請求項３】
前記第２記録層には、前記第１記録層の存在を示すためのユーザデータが記録されている、請求項２に記載の光記録媒体。
【請求項４】
前記第２記録層には、リードイン領域が設けられており、
前記ユーザデータは、前記第２記録層のリードイン領域とは異なる領域に記録されている、請求項３に記載の光記録媒体。
【請求項５】
前記第２記録層には、さらにデータ領域が設けられており、
前記ユーザデータは、前記第２記録層のデータ領域に記録されている、請求項３に記載の光記録媒体。
【請求項６】
前記ユーザデータは、前記第１記録層の存在を示すための、映像および音声の少なくとも一方に関するデータである、請求項５に記載の光記録媒体。
【請求項７】
前記第２記録層のデータ領域には、前記第２記録層のデータが再生されるときに最初に実行される処理の手順を規定するシーケンス情報が記録されており、
前記シーケンス情報は、前記映像データに基づく映像の表示手順を規定する、請求項５に記載の光記録媒体。
【請求項８】
前記第１記録層および前記第２記録層には、それぞれデータ領域が設けられており、
前記第１記録層のデータ領域には、第１品質のコンテンツに関する第１タイトル情報と、前記第１品質のコンテンツの著作権保護に関する第１著作権管理情報が格納されており、
前記第１記録層のデータ領域には、第２品質のコンテンツに関する第２タイトル情報と、前記第２品質のコンテンツの著作権保護に関する第２著作権管理情報が格納されている、請求項３記載の光記録媒体。
【請求項９】
前記第１著作権管理情報および前記第２著作権管理情報は、互いに異なる著作権保護のための条件が規定されている、請求項８に記載の光記録媒体。
【請求項１０】
光記録媒体から情報を再生する再生装置であって、
前記光記録媒体には、記録密度が互いに異なる第１記録層および第２記録層が積層され、前記第１記録層には、前記第２記録層の存在を示す管理情報が記録されており、
前記光記録媒体が装填されたときに前記管理情報を読み出す読み出し部と、
前記管理情報に基づいて、前記第２記録層が存在することを示す情報を出力する制御部と
を備えた再生装置。
【請求項１１】
前記第１記録層は、前記管理情報が格納されたリードイン領域と、前記第２記録層の存在を示すための、映像および音声の少なくとも一方に関するユーザデータが格納されたデータ領域とを有しており、
前記読み出し部はさらに前記ユーザデータを読み出し、
前記制御部は、前記ユーザデータに基づいて映像および音声の少なくとも一方を出力し、前記第２記録層の存在を通知する、請求項１０に記載の再生装置。
【請求項１２】
前記第２記録層は、前記第１記録層の存在を示すための、映像および音声の少なくとも一方に関するユーザデータが格納されたデータ領域を有しており、
前記読み出し部はさらに前記第２記録層のユーザデータを読み出し、
前記制御部は、前記第２記録層のユーザデータに基づいて映像および音声の少なくとも一方を出力し、前記第１記録層の存在を通知する、請求項１０に記載の再生装置。
【請求項１３】
光記録媒体から情報を再生する再生装置であって、
前記光記録媒体には、記録密度が互いに異なる第１記録層および第２記録層が積層され、前記第１記録層には第１解像度の映像情報が格納され、前記第２記録層には第２解像度の映像情報が格納されており、
出力すべき映像の解像度を特定する出力情報が予め格納されたメモリと、
前記光記録媒体が装填されたときにおいて、前記出力情報に基づいて、前記第１記録層および前記第２記録層のいずれから映像情報を読み出すかを選択する制御部と、
選択された前記第１記録層および前記第２記録層の一方から、映像情報を読み出す読み出し部と
を備えた再生装置。
【請求項１４】
出力装置が受付可能な信号形式を特定する情報を、前記出力情報としてユーザから受け取るインターフェース部をさらに備えた、請求項１３に記載の再生装置。
【請求項１５】
出力装置が受付可能な信号形式を特定する情報を、前記出力情報として前記出力装置から受け取るインターフェース部をさらに備えた、請求項１３に記載の再生装置。
【手続補正２】
【補正対象書類名】明細書
【補正対象項目名】全文
【補正方法】変更
【補正の内容】
【発明の詳細な説明】
【技術分野】
【０００１】
本発明は、記録密度が異なる複数種類の記録層を有する光学式記録媒体、および、そのような記録媒体の記録層を選択して、その記録層に記録された情報を再生する装置に関する。
【背景技術】
【０００２】
従来から、ＣＤ、ＤＶＤ等の光学式情報記録媒体（光記録媒体）の開発が進められている。
【０００３】
近年は、記録密度（または記録フォーマット）が異なる複数の記録層を有する光ディスク、いわゆるハイブリッドディスクが実用化されている。例えば特許文献１は、ＣＤと同じフォーマットの記録層（ＣＤ層）とＤＶＤと同じフォーマットの記録層（ＤＶＤ層）とが形成されたハイブリッドディスクを開示している。また特許文献２は、オーディオ情報に関する高密度（Ｈｉｇｈ  Ｄｅｆｉｎｉｔｉｏｎ；ＨＤ）ディスクと同じフォーマットの記録層（ＨＤ層）と、ＣＤ層とを有するハイブリッドディスクを開示している。
【０００４】
ハイブリッドディスクの開発とともに、ハイブリッドディスクの各記録層から情報を再生できる再生装置（マルチフォーマットプレーヤ）の開発も進められている。記録密度が相違する記録層同士は物理的形状が異なっているために光学的な差異が存在する。マルチフォーマットプレーヤはその差異を検出して所望の記録層を特定し、各層の情報に適した信号処理を行って情報を再生できる。特許文献２はそのようなプレーヤを開示している。
【０００５】
ハイブリッドディスクの利点の一つは、１フォーマットにしか対応していない再生装置（シングルフォーマットプレーヤ）でも情報を読み出しできることにある。たとえば、シングルフォーマットプレーヤであるＣＤプレーヤおよびＤＶＤプレーヤのいずれも、特許文献１記載のハイブリッドディスク上の情報を読み出すことができる。ＣＤプレーヤを利用すればＣＤ層の情報が再生され、ＤＶＤプレーヤを利用すればＤＶＤ層の情報が再生される。
【０００６】
しかし、ハイブリッドディスクの各層の光学的特性は、単一種類の記録層を有する光ディスクの光学的特性とは必ずしも一致しない。そのため、ハイブリッドディスクに対応していない再生装置にハイブリッドディスクが誤って装填されると、偶然にレーザ光が記録層上に合焦することがある。このときは再生装置が壊れてしまう可能性がある。
【０００７】
そこで特許文献３は、２層式ディスクが従来の再生装置に装填された場合の再生装置の誤動作防止方法を開示している。たとえば特許文献３の２層式ディスクは、従来のＣＤに対応する記録層（低密度記録層）とそれよりも高密度の記録層とを有している。高密度記録層の所定の領域には、ＣＤプレーヤでも読み出せる低記録密度で、ＣＤではないことを示す情報（ＣＤの信号フォーマットには規定されていない情報）が記録されている。この情報を設けることにより、レーザ光が高密度記録層に合焦したとしても再生装置の再生動作が途中で停止する。よって、ＣＤプレーヤの誤動作が防止される。
【特許文献１】特開平１０−４０７５４号公報
【特許文献２】特開２０００−１５６０３３号公報
【特許文献３】特開２００２−２３７０３４号公報
【発明の開示】
【発明が解決しようとする課題】
【０００８】
ハイブリッドディスクが装填されたとき、シングルフォーマットプレーヤは自らが対応する記録層の検出は可能であるが、他の記録層の検出およびその通知を行うことはない。したがって、ユーザもまたハイブリッドディスクであることを認識できないおそれが生じる。その結果、当該他の記録層を再生に対応するプレーヤをユーザが後に購入したとしても、ユーザはそのディスクを再生しようとは考えない。
【０００９】
このとき、ディスクのパッケージやラベル等がユーザの唯一の認識手段であるとするのは非常に不便である。また、ハイブリッドディスクであるか否かを認識するために、ユーザが常に複数種類のシングルフォーマットプレーヤを用意して確認しなければならないのも非現実的である。
【００１０】
一方、マルチフォーマットプレーヤを利用するときには、ディスクが装填されてから再生可能状態になるまでに時間がかかるという問題がある。
【００１１】
たとえばプレーヤにディスクが装填されたときには、全ての記録層に対してアクセス可能か否かを確かめてそのディスクがハイブリッドディスクか否かを検出している。この処理は時間を要するため、再生可能状態になるまでに時間がかかる。
【００１２】
また、他の例として、従来のマルチフォーマットプレーヤは、再生環境やユーザの嗜好に応じて最初にどの記録層の情報から再生するかを選択できない。よって、ユーザはいったん再生を止めて操作しなければならないことがあり、希望する情報を再生するまでに時間を要する。
【００１３】
より具体的に説明すると、いまハイブリッドディスクの高密度記録層に高解像度（ＨＤ）の映画の圧縮データが格納され、かつ、通常密度記録層に通常解像度（ＳＤ）の同一映画の圧縮データが格納されているとする。ユーザがＨＤ対応機器、たとえばＨＤデジタルＴＶを利用している場合は、プレーヤは高密度記録層のＨＤ品質の映画を再生すればよい。しかし、ユーザの再生環境がＳＤ対応機器、例えば従来のＮＴＳＣ方式のアナログテレビを利用している場合には、ユーザはまずＨＤ品質の映画の出力を停止させた後でＳＤ品質の映画の出力に切り替える必要がある。これは非常に不便である。なお、設置された機器の設定によっては自動的にＨＤ品質をＳＤ品質に変換する処理が開始されてしまうこともある。変換後のＳＤ品質は、ハイブリッドディスクの通常密度記録層のＳＤ品質よりも画質が劣化するおそれがある。
【００１４】
また音声や画像などの著作物は、そのクオリティに応じて配布の条件やコピーの世代管理の条件が異なる場合がある。例えば同一の映画や音楽クリップが異なる品質で通常密度記録層、高密度記録層にそれぞれ通常品質、高品質の圧縮データとして納められていた場合、それぞれ別条件で配布条件やコピーの世代管理を制御することが望まれる。
【００１５】
本発明の目的は、シングルフォーマットプレーヤおよびマルチフォーマットプレーヤのいずれに装填されても、ハイブリッドディスクであることを確実にユーザが認識できるような光記録媒体、再生装置および方法を提供することである。また本発明の他の目的は、マルチフォーマットプレーヤが、ハイブリッドディスクのいずれの記録層から情報を再生するかを、再生環境に応じて自動的に、またはユーザの指示に基づいて選択して、所望の情報の再生を素早く開始することである。
【課題を解決するための手段】
【００１６】
本発明による光記録媒体には、記録密度が互いに異なる第１記録層および第２記録層が積層されている。前記第１記録層には、前記第２記録層の存在を示す管理情報が記録されている。
【００１７】
前記第１記録層には、リードイン領域が設けられており、前記管理情報は、前記第１記録層のリードイン領域に記録されていてもよい。
【００１８】
前記第２記録層には、前記第１記録層の存在を示すためのユーザデータが記録されていてもよい。
【００１９】
前記第２記録層には、リードイン領域が設けられており、前記ユーザデータは、前記第２記録層のリードイン領域とは異なる領域に記録されていてもよい。
【００２０】
前記第２記録層には、さらにデータ領域が設けられており、前記ユーザデータは、前記第２記録層のデータ領域に記録されていてもよい。
【００２１】
前記ユーザデータは、前記第１記録層の存在を示すための、映像および音声の少なくとも一方に関するデータであってもよい。
【００２２】
前記第２記録層のデータ領域には、前記第２記録層のデータが再生されるときに最初に実行される処理の手順を規定するシーケンス情報が記録されており、前記シーケンス情報は、前記映像データに基づく映像の表示手順を規定してもよい。
【００２３】
前記第１記録層および前記第２記録層には、それぞれデータ領域が設けられており、前記第１記録層のデータ領域には、第１品質のコンテンツに関する第１タイトル情報と、前記第１品質のコンテンツの著作権保護に関する第１著作権管理情報が格納されており、前記第１記録層のデータ領域には、第２品質のコンテンツに関する第２タイトル情報と、前記第２品質のコンテンツの著作権保護に関する第２著作権管理情報が格納されていてもよい。
【００２４】
前記第１著作権管理情報および前記第２著作権管理情報は、互いに異なる著作権保護のための条件が規定されていてもよい。
【００２５】
本発明による再生装置は、光記録媒体から情報を再生する。前記光記録媒体には、記録密度が互いに異なる第１記録層および第２記録層が積層され、前記第１記録層には、前記第２記録層の存在を示す管理情報が記録されている。前記光記録媒体が装填されたときにおいて、前記再生装置は、前記管理情報を読み出す読み出し部と、前記管理情報に基づいて、前記第２記録層が存在することを示す情報を出力する制御部とを備えている。
【００２６】
前記第１記録層は、前記管理情報が格納されたリードイン領域と、前記第２記録層の存在を示すための、映像および音声の少なくとも一方に関するユーザデータが格納されたデータ領域とを有している。前記読み出し部はさらに前記ユーザデータを読み出し、前記制御部は、前記ユーザデータに基づいて映像および音声の少なくとも一方を出力し、前記第２記録層の存在を通知してもよい。
【００２７】
前記第２記録層は、前記第１記録層の存在を示すための、映像および音声の少なくとも一方に関するユーザデータが格納されたデータ領域を有している。前記読み出し部はさらに前記第２記録層のユーザデータを読み出し、前記制御部は、前記第２記録層のユーザデータに基づいて映像および音声の少なくとも一方を出力し、前記第１記録層の存在を通知してもよい。
【００２８】
本発明による再生装置は、光記録媒体から情報を再生する。前記光記録媒体には、記録密度が互いに異なる第１記録層および第２記録層が積層され、前記第１記録層には第１解像度の映像情報が格納され、前記第２記録層には第２解像度の映像情報が格納されている。前記再生装置は、出力すべき映像の解像度を特定する出力情報が予め格納されたメモリと、前記光記録媒体が装填されたときにおいて、前記出力情報に基づいて、前記第１記録層および前記第２記録層のいずれから映像情報を読み出すかを選択する制御部と、選択された前記第１記録層および前記第２記録層の一方から、映像情報を読み出す読み出し部とを備えている。
【００２９】
前記再生装置は、出力装置が受付可能な信号形式を特定する情報を、前記出力情報としてユーザから受け取るインターフェース部をさらに備えていてもよい。
【００３０】
前記再生装置は、出力装置が受付可能な信号形式を特定する情報を、前記出力情報として前記出力装置から受け取るインターフェース部をさらに備えていてもよい。
【発明の効果】
【００３１】
本発明によれば、記録密度の異なる２つの記録層を備えた光記録媒体の一方の記録層上には、他方の記録層の存在を示す管理情報が記録されている。この管理情報に基づいて再生装置が他方の記録層の存在をユーザに提示することにより、ユーザはその層の存在を容易に認識できる。
【００３２】
特に本発明によれば、第１記録層のリードイン領域にその管理情報を記録するとともに、第２記録層のデータ領域にも、第１記録層の存在を示すユーザデータを記録する。データ領域には任意の情報が記録可能であるため、第２記録層のデータ構造が規格等によって規定されていたとしても、再生装置はその情報を解釈しユーザに対してその内容を提示することができる。よって、第１記録層のみの再生に対応する再生装置であっても、第２記録層のみの再生に対応する再生装置であっても、ユーザは他方の層の存在を認識できる。
【発明を実施するための最良の形態】
【００３３】
以下、添付の図面を参照しながら、本発明の実施形態を説明する。
【００３４】
実施形態の説明においては、情報記録媒体として光記録媒体（光ディスク）を例に挙げて説明する。以下の説明においては、光ディスクは再生専用であるとする。
【００３５】
さらに、光ディスクは記録密度が互いに異なる２つの記録層が積層されたハイブリッドディスクであるとする。各記録層に記録された情報は、半導体レーザ光源から放射された光ビームを用いて光学的に再生される。なお、１つの記録層には記録密度が異なる複数の領域が存在することはないとする。
【００３６】
記録層の種類の組み合わせは種々考えられるが、以下では、ＤＶＤと互換性のあるフォーマットの記録層（低密度記録層）と、ＢＤと互換性のあるフォーマットの記録層（高密度記録層）とを有する光ディスクを例に挙げる。低密度記録層の記録容量は５ギガバイト未満（たとえば４．７ギガバイト）、高密度記録層の記録容量は２０ギガバイト以上（たとえば２５ギガバイト）である。
【００３７】
以下、図１から図３を参照しながら、本実施形態による光ディスクの物理構造およびデータ構造を具体的に説明する。
【００３８】
図１は、本実施形態による光ディスク１００の積層構造を示す。光ディスク１００は、カバーガラス１０１と、高密度記録層１０２と、基材１０３と、低密度記録層１０４と、基材１０５とを有している。各層はこの順序で積層されている。このうち、高密度記録層１０２および低密度記録層１０４に、情報が記録されている。
【００３９】
光ディスク１００から情報が再生されるときには、カバーガラス１０１側から光ビームが放射される。図１には、高密度記録層１０２に合焦した光ビーム１１０−１と、低密度記録層１０４に合焦した光ビーム１１０−２とが、参考のために示されている。
【００４０】
以下では低密度記録層１０４を説明し、その後、高密度記録層１０２を説明する。
【００４１】
低密度記録層１０４は、光ビームが放射される側の表面から深さ０．６ｍｍの位置に形成されている。その理由は、従来のＤＶＤと互換性を持たせるためである。
【００４２】
ＤＶＤは、情報記録層が形成された０．６ｍｍの厚さの透明基板と０．６ｍｍの基材とを貼り合わせて形成されている。そして、情報に対応する凸凹のピット列が、約０．７ミクロンの間隔でスパイラル状に刻まれている。光ビームは０．６ｍｍ厚の基板を透過して情報記録層に照射され、反射光の強度変化として情報が再生される。
【００４３】
そこで、低密度記録層１０４もＤＶＤの記録層と同じ深さに設けられ、かつ、約０．７ミクロンの間隔でスパイラル状に刻まれた情報を保持している。低密度記録層１０４に刻まれた情報は、波長約６６０ｎｍの赤色の光ビーム１１０−２によって再生される。
【００４４】
次に、高密度記録層１０２は、ＢＤとの互換性を持たせるため、光ビームが放射される側の表面から深さ０．１ｍｍの位置に形成されている。この０．１ｍｍは、カバーガラス１０１の厚さである。高密度記録層１０２と低密度記録層１０４との間には、厚さ０．５ｍｍの基材１０３が存在する。これにより、低密度記録層１０４に合焦する光ビームは合焦ポイントから離れた高密度記録層１０２の影響を受けにくいという利点が生じる。
【００４５】
高密度記録層１０２は、低密度記録層１０４および従来のＤＶＤの約５倍の記録密度を達成している。この記録密度を達成するため、情報は約０．３ミクロンの間隔でやはりスパイラル状に凸凹のピットとして刻まれている。高密度記録層１０２のピット長は、低密度記録層１０４のピット長よりも短い。高密度記録層１０２に刻まれた情報は、光ビーム１１０−１によって再生される。光ビーム１１０−１は０．１ｍｍのカバーガラス１０１を透過して高密度記録層１０２に放射され、反射光の強度変化として情報が再生される。
【００４６】
なお、カバーガラス１０１は実際には樹脂で成形されていることが多く、厳密なガラスでなくてもよい。また、低密度記録層１０４から情報を再生するために、高密度記録層１０２は半透明であり、所定の割合で光を透過する。またカバーガラス１０１および基材１０３は透明である。また、基材１０５の厚さは０．６ｍｍである。
【００４７】
次に、図２を参照しながら、高密度記録層１０２および低密度記録層１０４のデータ構造を説明する。
【００４８】
図２（ａ）は高密度記録層１０２のデータ構造を示し、（ｂ）は低密度記録層１０４のデータ構造を示す。各層には、ＢＤおよびＤＶＤの各規格に応じて異なるデータ構造が規定されている。いずれも、紙面左から右への方向が光ディスク１００の内周から外周の方向に対応する。
【００４９】
まず図２（ａ）を参照する。高密度記録層１０２は、内周側より、リードイン領域２０１、データ領域２０２、リードアウト領域２０３から構成される。
【００５０】
リードイン領域（以下単に「リードイン」と記述する。）２０１は、情報再生装置が情報記録媒体をアクセスする際もっとも高速にアクセスできるように最内周に設けられており、再生機器が安定したトラッキングを行うために設けられると同時に物理的な制御情報が記録されている。
【００５１】
高密度記録層１０２のリードイン２０１には、光ディスク１００には高密度記録層１０２とは異なる記録密度の記録層が存在することを示す管理情報（ハイブリッド情報）２１が記録されている。本実施形態においては、ハイブリッド情報２１として、低密度記録層１０４の存在を示す値が与えられている。ハイブリッド情報２１の詳細は、図３を参照しながら後述する。
【００５２】
データ領域２０２には、ボリューム情報２０２１、ナビゲーション情報２０２２および高解像度（ＨＤ）タイトル情報２０２３が納められている。ボリューム情報２０２１はファイル構造を示す。ナビゲーション情報２０２２はコンテンツの再生順などの制御情報等を示す。ＨＤタイトル情報２０２３は、高解像度の映像（ＨＤ映像）に関する圧縮デジタルデータである。上述のナビゲーション情報２０２２は、ＨＤタイトル情報２０２３に関するコンテンツの著作権管理情報２０２４を含んでいる。著作権管理情報２０２４はコピー制御情報を含んでおり、たとえばＨＤタイトル情報２０２３の「コピー禁止」、「１世代のみコピー可」、「制約条件なしにコピー可」、「配信禁止」等を制御することができる。
【００５３】
リードアウト（以下単に「リードアウト」と記述する。）２０３は、主に再生機器が安定したトラッキングを行うために設けられる。
【００５４】
次に、図２（ｂ）を参照する。低密度記録層１０４のデータ構造も、リードイン２１１、データ領域２１２、リードアウト２１３から構成される。リードイン２１１、リードアウト２１３は高密度記録層１０２と同じ目的で設けられる。
【００５５】
ただし、低密度記録層１０４のリードイン２１１には、ハイブリッド情報２１に対応する情報は設けられない。その理由は、ＤＶＤ規格との互換性を保つためである。ＤＶＤ規格においては、リードインにハイブリッド情報２１に対応する情報を設けることは規定されていない。したがって、そのような情報が設けられていると、低密度記録層１０４の情報を再生可能な従来の再生装置（ＤＶＤプレーヤー）は再生できなくなる。そこで、従来のＤＶＤプレーヤーを用いた再生を保証するため、ハイブリッド情報２１に対応する情報はリードイン２１１には設けられない。
【００５６】
その一方、データ領域２１２において、他の記録密度の層（すなわち高密度記録層１０２）の存在を示す情報が設けられる。以下、データ領域２１２を説明する。
【００５７】
データ領域２１２には、ボリューム情報２１２１、ナビゲーション情報２１２２、標準解像度（ＳＤ）タイトル情報２１２３が納められている。
【００５８】
ボリューム情報２１２１はファイル構造を示す。ナビゲーション情報２１２２はコンテンツの再生順などの制御情報等を示す。ＳＤタイトル情報２１２３は、標準解像度の映像に関する圧縮デジタルデータである。上述のナビゲーション情報２１２２は、ＳＤタイトル情報２１２３に対する著作権管理情報２１２４を含んでいる。この著作権管理情報２１２４はＳＤタイトル情報２１２３に関するコンテンツに対して設けられている。ＨＤタイトル情報２０２３に関するコンテンツの著作権管理情報２０２４とは異なる点に留意されたい。
【００５９】
なお、本実施形態においてはＨＤタイトル情報２０２３およびＳＤタイトル情報２１２３は、品質が異なる同じコンテンツであるとしている。よって、各品質のタイトル情報に対して著作権管理情報を付加することにより、それぞれをあたかも別のコンテンツとして個々に配布条件やコピーの世代管理を制御することが可能になる。その結果、ＨＤタイトル情報２０２３に対する著作権管理情報２０２４とＳＤタイトル情報２１２３に対する著作権管理情報２１２４とは同じ内容が規定される必要はなく、全部が異なっていてもよい。
【００６０】
データ領域２１２にはさらに、ＨＤ存在情報２１２５が記録される。ＨＤ存在情報２１２５は、高密度記録層１０２が存在すること、またはより直接的にはＨＤ映像・音声情報がこの光ディスク１００に記録されていることを示している。このＨＤ存在情報２１２５は一般的なＤＶＤプレーヤー等で再生可能な、ＭＰＥＧ規格に準拠した映像情報や音声情報である。すなわちこのＨＤ存在情報２１２５は、任意の情報を記録可能なデータ領域に記録された、一般の映像情報や音声情報として扱われる。ＨＤ存在情報２１２５として格納された映像情報や音声情報は、Ｆｉｒｓｔ Ｐｌａｙ ＰＧＣと呼ばれるプログラム・シーケンス実行時に再生される。
【００６１】
表１はＨＤタイトルのデータ仕様を示し、表２はＳＤタイトルのデータ仕様を示す。高密度記録層１０２に記録可能な情報量は低密度記録層１０４の情報量の約５倍である。よって高密度記録層１０２にはより多くの画素数（すなわち）の映像（特に動画）を記録できる。
【００６２】
【表１】
2006080350.tif 000015
【００６３】
【表２】
2006080350.tif 000016
【００６４】
ＨＤタイトル情報２０２３は、たとえばＭＰＥＧトランスポートストリームのフォーマットで記録される。ＭＰＥＧトランスポートストリームは、少なくとも映像ストリームのパケットと音声ストリームのパケットとが多重化されて構成される。
【００６５】
表１に示すように、ＨＤタイトルの映像ストリームの符号化方式はＭＰＥＧ２規格またはＭＰＥＧ４規格に準拠している。映像の最大画素数は水平方向に１９２０画素、垂直方向に１０８０画素である。同様にＨＤタイトルの音声ストリームの符号化方式はデジタル放送と親和性の高いＡＡＣ規格に準拠している。
【００６６】
一方、ＳＤタイトル情報２１２３は、たとえばＭＰＥＧプログラムストリームのフォーマットで記録される。ＭＰＥＧプログラムストリームは、映像ストリームのパケット（またはパック）と音声ストリームのパケット（またはパック）とが多重化されて構成される。
【００６７】
表２に示すように、ＳＤタイトルの映像ストリームの符号化方式はＭＰＥＧ２規格に準拠している。映像の最大画素数は水平方向に７２０画素、垂直方向に４８０画素である。同様にＳＤタイトルの音声ストリームの符号化方式はＡＣ−３規格に準拠している。
【００６８】
本実施形態においては、ＨＤタイトルとＳＤタイトルとは同じコンテンツであり、その映像／音声の品質が異なっているとする。映像品質はビットレートの大きさに比例しており、たとえばＨＤ映像の最大ビットレートは３４Ｍｂｐｓ、ＳＤ映像の最大ビットレートは１０Ｍｂｐｓである。映像は音声もより分解能が高いため、その情報量は大きくなる。
【００６９】
なお、高密度記録層１０２には十分なデータ記憶容量があるため、低密度記録層１０４には存在しない付加コンテンツ、いわゆるボーナスコンテンツが納められることもある。
【００７０】
次に、図３を参照しながらハイブリッド情報２１を詳細に説明する。図３は、高密度記録層１０２のリードイン２０１とハイブリッド情報２１との関係を示す。
【００７１】
リードイン２０１は種々の領域に区分されており、その一つとしてＰＩＣ（Ｐｅｒｍａｎｅｎｔ  Ｉｎｆｏｒｍａｔｉｏｎ  &  Ｃｏｎｔｒｏｌ  ｄａｔａ）領域２０１１が存在する。ＰＩＣ領域２０１１はさらに１以上のＤＩ（Ｄｉｓｋ  Ｉｎｆｏｒｍａｔｉｏｎ）領域（＃１、・・・、＃ｎ）を備えている。そして、たとえばＤＩ領域（＃１）２０１２内の所定のデータ位置にハイブリッド情報２１が記録されている。
【００７２】
ハイブリッド情報２１は、低密度記録層１０４が存在するか否かを規定できればよく、その具体的なデータ構造は問わない。たとえば、値“００”のときには低密度記録層１０４が存在しない、すなわちその光ディスクがハイブリッドディスクではないことを示し、“０１” のときには低密度記録層１０４が存在することを示すとして取り決めればよい。または、単に１ビットで表してもよい。
【００７３】
なお、ハイブリッド情報２１がハイブリッドディスクではないことを示す値（“００”）を取り得るとした理由は、たとえばハイブリッドディスクではないＢＤ−ＲＯＭ等においてもハイブリッド情報２１を設けることを想定しているためである。ハイブリッドディスクの高密度記録層１０２とＢＤ−ＲＯＭの記録層の各データ構造は同一にできるため、再生装置は、ハイブリッド情報の値に基づいてどのような光ディスクが挿入されたかを判断することができる。
【００７４】
次に、図４を参照しながら、上述の光ディスク１００から情報を再生可能な再生装置の構成および動作を説明する。
【００７５】
図４は、本実施形態による再生装置３００の構成を示す。また図４には、再生装置３００と接続されるテレビセット３２０を示している。再生装置３００とテレビセット３２０とは、ＨＤＭＩケーブル３３０を介して接続されている。
【００７６】
再生装置３００は、高密度記録層１０２および低密度記録層１０４を有する光ディスク１００の各層から、情報を再生できる。再生装置３００は、光ディスク１００が挿入または装填されると後述の処理にしたがって光ディスク１００から種々の情報を読み出す。そして、テレビセット３２０のテレビ（ＴＶ）３２１およびスピーカ３２２から出力可能な品質で映像情報および音声情報を出力する。
【００７７】
なお再生装置３００は、低密度記録層１０４と同じ記録密度の従来のＤＶＤからの情報の再生、および、高密度記録層１０２と同じ記録密度のＢＤからの情報の再生にも対応している。
【００７８】
再生装置３００は、中央制御部（ＣＰＵ）３０１と、汎用メモリ３０２と、光ピックアップ３１０と、層識別部３１１と、層指示部３１２と、信号切替部３１３と、ユーザ入力インターフェース（Ｉ／Ｆ）３１６と、映像出力形式メモリ３１７と、接続インターフェース（Ｉ／Ｆ）３１８と、著作権情報処理部３１９と、ＨＤデコーダ３１４０と、ＳＤデコーダ３１５０とを有している。
【００７９】
これらの構成要素のうち、光ピックアップ３１０、ユーザ入力Ｉ／Ｆ３１６、映像出力形式メモリ３１７（以下「形式メモリ３１７」という）および接続Ｉ／Ｆ３１８は、独立したハードウェアとして設けられる。またＨＤデコーダ３１４０およびＳＤデコーダ３１５０は、それぞれ独立したデコーダ回路（チップ）として設けることもできるし、信号切替部３１３とともに、１つのデコーダチップとして設けることもできる。または、ＨＤデコーダ３１４０およびＳＤデコーダ３１５０の一部の処理回路を共用してもよい。
【００８０】
一方、層識別部３１１、層指示部３１２、信号切替部３１３および著作権情報処理部３１９は、それぞれが独立した専用回路として設けられてもよいし、たとえばＣＰＵ３０１がコンピュータプログラムを実行することによって、各構成要素の後述の機能を実現してもよい。理解の容易のため、図４では各構成要素をＣＰＵ３０１とは区別して記載している。
【００８１】
以下、各構成要素の機能を説明する。
【００８２】
ＣＰＵ３０１は、再生装置３００の動作の全体を制御する。
【００８３】
汎用メモリ３０２は周知のランダムアクセスメモリ（ＲＡＭ）であり、ＣＰＵ３０１が動作する際のコンピュータプログラム、一時データ等を格納する。
【００８４】
光ピックアップ３１０は、光ビームを光ディスク１００に放射し、高密度記録層１０２または低密度記録層１０４に合焦させる。併せて、高密度記録層１０２または低密度記録層１０４のトラックに追従するようにトラッキングを行う。そして、高密度記録層１０２または低密度記録層１０４から情報を再生し、再生信号を出力する。
【００８５】
層識別部３１１は光ピックアップ３１０によって読み出された信号から、光ピックアップ３１０が低密度記録層１０４、高密度記録層１０２どちらの層に合焦しトラッキングしているかを判定する。
【００８６】
層指示部３１２は層識別部３１１の判定と、形式メモリ３１７の内容に対応して再生するべき記録層を判断し、光ピックアップ３１０に合焦する記録層を指示する。また層指示部３１２は、信号切替部３１３に再生信号の切替を指示する。
【００８７】
信号切替部３１３は、光ピックアップ３１０からの再生信号の伝送経路を切り替えることにより、ＨＤデコーダ３１４０またはＳＤデコーダ３１５０のいずれで処理させるかを選択する。光ディスク１００が挿入されているときには、信号切替部３１３は情報の再生開始時に切り替えるのみならず、任意のタイミングで伝送経路を切り替えることができる。ＢＤが挿入されているときには、情報の再生開始時にＨＤデコーダ３１４０への再生経路に切り替える。また、ＤＶＤが挿入されているときにはＳＤデコーダ３１５０への再生経路に切り替える。
【００８８】
なお、図４に示す信号切替部３１３はハードウェアスイッチとして記載されている。しかし、これは理解の容易のための例であり、ソフトウェア的に切り替えを行ってもよい。たとえば、ソフトウェア再生装置３００のＣＰＵ３０１、または、ＨＤデコーダ３１４０およびＳＤデコーダ３１５０を統合したデコーダチップがソフトウェアを実行したときに、ＨＤデコーダ３１４０およびＳＤデコーダ３１５０のいずれを機能させるかの分岐判断処理の一部として実装してもよい。
【００８９】
ＨＤデコーダ３１４０は、信号処理部３１４１および伸長部３１４２を含む。信号処理部３１４１は、高密度記録層１０２から再生された信号の変復調やエラー訂正を行う。処理された信号は、符号化された映像情報および音声情報、さらには著作権管理情報を含んでいる。信号処理部３１４１は、符号化された映像情報および音声情報と著作権管理情報とを分離して、それぞれを伸張部３１４２および著作権情報処理部３１９に送る。伸長部３１４２は、符号化された映像情報および音声情報を復号化して、映像・音声情報を生成する。
【００９０】
ＳＤデコーダ３１５０は、信号処理部３１５１および伸長部３１５２を含む。信号処理部３１５１は、低密度記録層１０４から再生された信号の変復調やエラー訂正を行う。処理された信号は、符号化された映像情報および音声情報、さらには著作権管理情報を含んでいる。信号処理部３１５１は、符号化された映像情報および音声情報と著作権管理情報とを分離して、それぞれを伸張部３１５２および著作権情報処理部３１９に送る。伸長部３１５２は、符号化された映像情報および音声情報を復号化して、映像・音声情報を生成する。
【００９１】
高密度記録層１０２および低密度記録層１０４にそれぞれ格納された解像度の映像・音声コンテンツに対応した著作権管理情報を各記録層に設けているため、最適な著作権管理の仕組みを提供できる。
【００９２】
ユーザ入力Ｉ／Ｆ３１６および接続Ｉ／Ｆ３１８は、それぞれ、ユーザおよびテレビセット３２０と、再生装置３００との間の情報の授受を担っている。
【００９３】
ユーザ入力Ｉ／Ｆ３１６は、ユーザがたとえばリモコン等を介してテレビセット３２０の再生性能を特定するための性能情報を入力する際に利用される。性能情報とは、テレビセット３２０が受付可能な信号形式を特定する情報を意味しており、本実施形態においては「映像の信号形式」を特定する情報を想定している。具体例を挙げると、性能情報は、テレビセット３２０がＨＤ映像およびＳＤ映像の両方の再生機能を有するか、ＳＤ映像のみの再生機能を有するかの情報である。
【００９４】
一方、接続Ｉ／Ｆ３１８は、ＨＤＭＩ規格に準拠しており、テレビセット３２０と双方向の通信が可能である。接続Ｉ／Ｆ３１８は、テレビセット３２０に対してその性能情報を要求し、テレビセット３２０は自己の性能情報を接続Ｉ／Ｆ３１８に送る。これらの処理は規格に従って自動的に行われ、ユーザは介在する必要はない。
【００９５】
形式メモリ３１７は、再生装置３００が出力すべき信号形式を特定する情報（以下「出力特定情報」という。）を格納する。形式メモリ３１７はたとえば書き換え可能なＥＥＰＲＯＭであり、一旦設定されると、その後再生装置３００の電源がオフされても出力特定情報を保持する。
【００９６】
出力特定情報は、ユーザ入力Ｉ／Ｆ３１６および接続Ｉ／Ｆ３１８を介して取得された、テレビセット３２０の性能情報に基づいてＣＰＵ３０１によって生成される。本実施形態では、性能情報がＨＤ映像およびＳＤ映像の両方の再生機能を有することを示すときには「ＢＤ」を示す値、ＳＤ映像のみの再生機能を有するときには「ＳＤ」を示す値が格納される。なお再生装置３００の出荷時においては、出力特定情報として「自動検出」を示す値が格納されている。
【００９７】
著作権情報処理部３１９は、著作権管理情報を接続Ｉ／Ｆ３１８に送り、テレビセット３２０に送信される映像／音声情報に関連する著作権保護処理、たとえばコピーの世代管理情報の付加や暗号化などの処理を行わせる。
【００９８】
接続Ｉ／Ｆ３１８は、著作権情報処理部３１９からの出力、および、伸張部３１４２または伸張部３１５２からの出力を受け取って、それらを１つに統合してテレビセット３２０に送る。なお、これらの出力を受け取って多重化し、その多重化したデータストリームを接続Ｉ／Ｆ３１８に送る構成要素を設けてもよい。接続Ｉ／Ｆ３１８は多重化されたそのデータストリームを受け取ってテレビセット３２０に送ることになる。
【００９９】
次に、図５〜９を参照しながら再生装置３００の動作を説明する。
【０１００】
図５は、再生装置３００の初期設定処理の手順を示す。この処理は、光ディスク１００が挿入されたときに、高密度記録層１０２および低密度記録層１０４のいずれの層の情報を先に再生するかを決定するために行われる。よって、この処理はユーザが再生装置３００に最初に電源を投入したとき、または、最初にハイブリッドディスクが挿入されたときに、ＣＰＵ３０１によって実行される。ただし、ユーザはリモコン（図示せず）等を操作して任意のタイミングでこの処理を実行させることができる。
【０１０１】
まずステップＳ５１において、ＣＰＵ３０１は初期設定画面をＴＶ３２１に表示させる。初期設定画面のデータは、たとえば汎用メモリ３０２に格納されており、ＣＰＵ３０１の指示に基づいて接続Ｉ／Ｆ３１８からそのデータをテレビセット３２０に出力すればよい。
【０１０２】
次に、ステップＳ５２において、ＣＰＵ３０１は形式メモリ３１７から出力特定情報を読み出す。そしてその結果を初期設定画面上に反映する。
【０１０３】
図６は、初期設定画面の表示例を示す。画面上には、３つの選択肢６１〜６３が表示されている。上述のように、再生装置３００の出荷時には形式メモリ３１７には「自動検出」を示す値が格納されているため、選択肢６１がハイライト表示されている。
【０１０４】
再び図５を参照する。ステップＳ５３以降は、ユーザが選択肢６１〜６３のいずれを選択したかに応じた処理が行われる。
【０１０５】
ステップＳ５３では、ＣＰＵ３０１はユーザの選択が「自動検出」か否かを判定する。「自動検出」のときには処理はステップＳ５４に進み、そうでないときにはステップＳ５５に進む。
【０１０６】
ステップＳ５４以降は、ＣＰＵ３０１は光ディスク１００の記録層１０２および１０４のうち、いずれの記録層の情報を最初に再生するかを自動的に検出する処理である。ステップＳ５４では、ＣＰＵ３０１は接続Ｉ／Ｆ３１８に対して、ＨＤＭＩ規格の手続きに基づいてテレビセット３２０の性能情報、具体的にはＴＶ３２１の解像度を取得させる。
【０１０７】
次のステップＳ５６において、性能情報に基づいて、ＴＶ３２１がＳＤ映像のみの再生機能を有するか否か、すなわちＴＶは標準解像度か否かを判定する。標準解像度のときは、処理はステップＳ５７に進み、そうでないとき（すなわち高解像度）のときはステップＳ５８に進む。
【０１０８】
ステップＳ５７においては、ＣＰＵ３０１は「ＤＶＤ」を示す値を出力特定情報として形式メモリ３１７に格納する。ステップＳ５８においては、ＣＰＵ３０１は「ＢＤ」を示す値を出力特定情報として形式メモリ３１７に格納する。
【０１０９】
一方、ステップＳ５５においては、ＣＰＵ３０１はユーザの選択が「ＢＤ」か否かを判定する。「ＢＤ」のときは、処理はステップＳ５８に進み、そうでないとき（すなわち「ＤＶＤ」のとき）はステップＳ５９に進む。ステップＳ５９の処理はステップＳ５７と同じであるため、その説明は省略する。
【０１１０】
上述の処理にしたがって出力特定情報が形式メモリ３１７に格納されると、ＣＰＵ３０１はその情報に基づいて、光ディスク１００の記録層から映像・音声等を再生する。出力特定情報が一旦設定された後は、再度図５の処理が実行されるまではその情報に基づいて再生処理を行えばよい。
【０１１１】
なお、「常に自動検出」という選択肢として設け、光ディスク１００が挿入されるたびにＣＰＵ３０１にステップＳ５４、Ｓ５６〜Ｓ５８の処理を実行させてもよい。これにより、標準解像度のＴＶ３２１で視聴していたユーザが高解像度のＴＶを新たに購入した場合でも、ユーザは再生装置３００の設定を変更することなく、自動的にＨＤ映像・音声を楽しむことができる。
【０１１２】
次に、図７を参照しながら再生装置３００の再生処理を説明する。
【０１１３】
図７は、再生装置３００の再生処理の手順を示す。
【０１１４】
まずステップＳ７１において、ＣＰＵ３０１は、センサ（図示せず）等からの信号に基づいてディスクの挿入を検出する。上述のように、再生装置３００はハイブリッドディスク（光ディスク１００）のみならず、ＤＶＤおよびＢＤからの情報の再生にも対応する。よって、以下の処理において、どの光ディスクが挿入されたかを特定することとなる。
【０１１５】
次に、ステップＳ７２において、ＣＰＵ３０１は光ピックアップ３１０を動作させて光ビームを放射させる。そして、高密度記録層１０２の深さと同じ深さ、すなわちディスクの光ビーム放射側の表面から深さ０．１ｍｍに、光ビームを合焦させる。このときの光ビームの波長は約４０５ｎｍである。
【０１１６】
ステップＳ７３において、層識別部３１１は光ビームの反射率等を測定して、その深さに記録層が存在するか否かを判定する。記録層が存在するときは、処理はステップＳ７４に進む。このときは、挿入された光ディスクは光ディスク１００またはＢＤである。記録層が存在しないときは、処理はステップＳ７５に進む。
【０１１７】
ステップＳ７４においては、ＣＰＵ３０１は光ピックアップ３１０を光ディスクの最内周付近に移動させて、リードインの所定位置にハイブリッド情報２１が存在するか否かを判定する。存在するときは、処理はステップＳ７６に進み、存在しないときはステップＳ７８に進む。ハイブリッド情報２１が存在すれば、挿入された光ディスクは光ディスク１００であると特定され、存在しなければＢＤであると特定される。
【０１１８】
ステップＳ７６においては、ＣＰＵ３０１は光ピックアップ３１０を用いてハイブリッド情報２１を読み出す。そしてステップＳ７７において、ハイブリッド情報２１を解析して低密度記録層が存在するか否かを判定する。
【０１１９】
低密度記録層が存在するときは、処理はステップＳ７９に進む。このときＴＶ３２１上に、たとえば「この光ディスクはハイブリッドディスクです」というメッセージを表示し、またはその音声を出力して、ユーザに通知する。これにより、ユーザは、挿入した光ディスクがハイブリッドディスクであること、すなわち高密度および低密度の記録層が存在することを知ることができる。なお低密度記録層が存在しないときは、処理はステップＳ７８に進む。このとき「この光ディスクはＢＤです」というメッセージを映像表示または音声出力し、ユーザに通知してもよい。
【０１２０】
提示されるメッセージの情報は、たとえば汎用メモリ３０２に格納されている。ＣＰＵ３０１はその情報を読み出して接続Ｉ／Ｆ３１８を介してＴＶ３２１またはスピーカ３２２に送信する。
【０１２１】
ステップＳ７８では、光ピックアップ３１０はすでに光ビームが合焦している光ディスク１００の高密度記録層１０２またはＢＤの記録層から情報を読み出し、その情報を再生する。すなわち、ＨＤデコーダ３１４０を用いて映像・音声情報を復号化し、ＴＶ３２１およびスピーカ３２２に出力する。その後、処理は終了する。
【０１２２】
ステップＳ７９においては、出力特定情報が「ＢＤ」を示す値か否かを判定する。「ＢＤ」を示しているときは、処理はステップＳ７８に進み、示していないとき、すなわちＤＶＤを示しているときはステップＳ７５に進む。
【０１２３】
ステップＳ７５では、ＣＰＵ３０１は光ピックアップ３１０を動作させて光ビームを放射させる。そして、低密度記録層１０４の深さと同じ深さ、すなわちディスクの光ビーム放射側の表面から深さ０．６ｍｍに、光ビームを合焦させる。このときの光ビームの波長は約６５０ｎｍに変更される。
【０１２４】
次のステップＳ８０において、層識別部３１１は光ビームの反射率等を測定して、その深さに記録層が存在するか否かを判定する。記録層が存在しないときは、処理はステップＳ８１に進む。一方、記録層が存在するときはステップＳ８２に進む。このときは、挿入された光ディスクは光ディスク１００またはＤＶＤである。
【０１２５】
ステップＳ８１においては、ディスクの種別判別エラーが生じているとして、リトライ処理を行い、その後ステップＳ７２に戻る。なお、リトライ処理を所定回数行ったとしても挿入されたディスクの記録層が検出できないときは、処理を終了してもよい。
【０１２６】
ステップＳ８２では、光ピックアップ３１０はすでに光ビームが合焦している光ディスク１００の低密度記録層１０４またはＤＶＤの記録層から情報を読み出し、その情報を再生する。このときは、ＳＤデコーダ３１５０を用いて映像・音声情報を復号化し、ＴＶ３２１およびスピーカ３２２に出力する。
【０１２７】
ここで留意すべきは、光ディスク１００の低密度記録層１０４の情報を再生したときと、ＤＶＤの記録層の情報を再生したときとでは、ユーザに提示される映像等が異なる点である。以下、図８および図９を参照しながら、低密度記録層１０４の再生処理を説明する。
【０１２８】
なお、以下では図８および図９を再生装置３００の処理として説明するが、その内容は、従来の再生専用のＤＶＤプレーヤが低密度記録層１０４を通常のＤＶＤの記録層として再生処理を行うときにも同様に適用される。図８および図９によって得られる効果は、そのようなＤＶＤプレーヤを用いて再生したときにもっとも顕著に現れる。
【０１２９】
図８は、低密度記録層１０４の情報再生処理の手順を示す。この処理に際しては、まず低密度記録層１０４のリードイン２１１に格納された物理的な制御情報が読み出され、所定の前処理が行われる。
【０１３０】
ステップＳ８５において、ＣＰＵ３０１は光ピックアップ３１０に指示して、データ領域２１２からナビゲーション情報２１２２を読み出し、Ｆｉｒｓｔ Ｐｌａｙ ＰＧＣを実行する。Ｆｉｒｓｔ Ｐｌａｙ ＰＧＣは、低密度記録層１０４のデータ領域２１２の再生時に常に最初に実行される処理である。
【０１３１】
光ディスク１００の低密度記録層１０４には、Ｆｉｒｓｔ Ｐｌａｙ ＰＧＣにおいてＨＤ存在情報２１２５を含む画面が表示されるように構成されている。よって、再生装置３００は、低密度記録層１０４の情報再生開始時において、映像の一部に、高密度記録層１０２の存在、より具体的にはＨＤ映像、音声の情報の存在を示す画面をユーザに提示する。
【０１３２】
図９は、高密度記録層１０２の存在を示す画面表示例である。この表示により、ユーザは、高密度記録層に対応した再生機器およびＨＤテレビを使用すればＨＤ映像等を再生可能なことを認識できる。再生装置３００およびＨＤテレビを利用しているユーザであれば、この表示を見た時点で、図６に示す初期設定画面を表示させて高密度記録層１０２の情報再生処理を行うように処理を変更させることができる。一方、再生専用のＤＶＤプレーヤを利用するユーザは、光ディスク１００にＨＤタイトルが記録されていることを認識できるため、将来ＢＤプレーヤおよびＨＤテレビを購入したときには、そのＨＤタイトルを楽しむことができる。
【０１３３】
なおＨＤ存在情報２１２５を含む画面の表示は、必ずしもＦｉｒｓｔ Ｐｌａｙ ＰＧＣにおけるシーケンスそのものの中で行われる必要はない。たとえばＦｉｒｓｔ Ｐｌａｙ ＰＧＣ終了後に強制的に実行されるコマンドによって、処理が分岐したときに、その分岐後の実行シーケンス中で画面を表示してもよい。または、図７に代えて低密度記録層１０４に先に合焦させ、実質的に最初に実行される処理においてこの情報を表示させてもよい。
【０１３４】
この後、処理はステップＳ８６に進み、ＳＤタイトルの再生が開始される。具体的には、ステップＳ８６１に示すメニューの表示、およびステップＳ８６２に示す本編の再生が行われる。その後、処理は終了する。
【０１３５】
以上、本実施形態による再生装置３００の動作を説明した。図７のステップＳ７４、ステップＳ７６およびＳ７７までの処理によれば、高密度記録層１０２および低密度記録層１０４の両方に光ビームを合焦させて検出する必要はない。よって、両記録層に実際に光ビームを合焦させて検出するときと比較すると処理が非常に高速化される。
【０１３６】
さらに、上述のステップＳ７９によれば、高密度記録層１０２および低密度記録層１０４を有する光ディスク１００が挿入されたときには、出力特定情報に基づいて高密度記録層１０２および低密度記録層１０４のいずれの情報から再生するかが決定されている。そしてステップＳ７９以降の処理によって、その決定に従って情報が再生される。出力特定情報は、どの記録層の情報を再生するかについて、ユーザの再生環境とともに、ユーザの希望が反映されているため、再生装置３００は、ユーザが視聴可能で、かつ希望する情報の再生を素早く開始することができる。
【０１３７】
なお、再生装置３００が仮にＨＤ映像・音声をＳＤ映像・音声にダウンコンバートする機能を有していたとしても、その機能は光ディスク１００が挿入されたときには使用しなくてもよい。再生装置３００は、ステップＳ７７において低密度記録層１０４の存在を認識しているため、低密度記録層１０４からＳＤ映像・音声を読み出して再生するように動作を制御できるからである。よって、ＢＤが挿入されたときにのみ、ダウンコンバート機能を使用すればよい。
【０１３８】
上述の実施形態の説明においては、同じコンテンツが異なる品質で光ディスク１００の高密度記録層１０２および低密度記録層１０４にそれぞれ格納されるという前提を設けた。そのため、特にユーザが指定しない限り、再生装置３００は、ＨＤ品質で再生できる環境下では高密度記録層１０２のＨＤタイトル情報２０２３を優先して再生し、ＳＤ品質でのみ再生できる環境下では低密度記録層１０４のＳＤタイトル情報２１２３を再生するとした（図５のステップＳ５６〜Ｓ５８および図７のステップＳ７８〜Ｓ７９）。
【０１３９】
しかし、異なるコンテンツが高密度記録層１０２および低密度記録層１０４にそれぞれ格納されることもある。たとえば高密度記録層１０２に映画のコンテンツがＨＤ品質で格納され、低密度記録層１０４にはその映画の特典コンテンツ（たとえば映画のメーキング映像・音声）がＳＤ品質で格納されることがある。または、高密度記録層１０２に映画のコンテンツがＨＤ品質で格納され、低密度記録層１０４にはその映画とは関係のないボーナスコンテンツがＳＤ品質で格納されることがある。
【０１４０】
このようなときには、高密度記録層１０２のＨＤタイトル情報２０２３からＨＤ映像が再生されたとしても、ユーザに対して、低密度記録層１０４が存在すること、さらには異なるコンテンツが格納されていることを通知することが好ましい。そこで、以下図１０を参照しながら、新たなデータ構造を提案する。
【０１４１】
図１０（ａ）および（ｂ）は、他の例による高密度記録層１０２および低密度記録層１０４のデータ構造の例を示す。高密度記録層１０２に関する図１０（ａ）のデータ構造が図２（ａ）のデータ構造と相違する点は、高密度記録層１０２のデータ領域２０２に新たにＳＤ存在情報２０２５が設けられていることである。
【０１４２】
ＳＤ存在情報２０２５は、たとえば低密度記録層１０４が存在すること、および／または、ＨＤ品質のコンテンツとは別にＳＤ品質のコンテンツが存在することを示す映像、音声の情報として設けられる。このＳＤ存在情報２０２５は、ＨＤタイトル情報２０２３の再生開始前、再生終了後等の任意のタイミングで表示される。そのタイミング（再生順序）は、たとえばナビゲーション情報２０２２に規定される。
【０１４３】
一方、低密度記録層１０４に関する図１０（ｂ）のデータ構造は図２（ｂ）のデータ構造と同じである。ただし、ＨＤ存在情報２１２５の映像・音声情報は、図９に示す表示内容とは異なる内容であってもよい。たとえば、この記録層のコンテンツはボーナスコンテンツであり、本編の再生はＢＤプレーヤでなければできないことを示す映像・音声情報が、ＨＤ存在情報２１２５として格納されていてもよい。再生装置３００は、高密度記録層１０２の情報再生開始時にハイブリッド情報２１を読み出して、低密度記録層１０４の有無を確認する。そして低密度記録層１０４が存在することが示されているときには、高密度記録層１０２中のＳＤ存在情報２０２５を読み出して、低密度記録層１０４の存在、または、ＳＤ映像、音声の存在を示す映像信号および／または音声信号をＴＶ３２１に出力する。
【０１４４】
たとえば図１１（ａ）は、低密度記録層１０４の存在を示す画面表示例である。図１１（ａ）に示す「ＤＶＤ層」が低密度記録層１０４に対応する。この例では、ユーザに対しＢＤ層およびＤＶＤ層のいずれの情報を再生するかが求められている。ユーザがＢＤ層を選択するときはリモコン（図示せず）等を操作して枠１１１をハイライトさせて、選択内容を確定すればよい。一方、ユーザがＤＶＤ層を選択するときはリモコン（図示せず）等を操作して枠１１２をハイライトさせて、選択内容を確定すればよい。図１１（ａ）では、枠１１２がハイライトされている。そして、再生装置３００は、選択された記録層の情報を再生する。必要に応じて、ＣＰＵ３０１は光ピックアップ３１０に対して光ビームの波長を変更させ、また層指示部３１２に再生するべき記録層を指示し、層指示部３１２は光ビームを合焦させる記録層を切り替える。また、以前に説明した場合と同様に、層指示部３１２は信号切替部３１３からの再生信号をＳＤデコーダ３１５０への再生経路に切り替える。
【０１４５】
なお、図１１（ａ）に示す表示内容は例であり、他の表示内容に基づいてハイブリッドディスクであることをユーザに通知してもよい。たとえば図１１（ｂ）は、ユーザに対して標準画質のコンテンツが存在することを通知する画面表示例を示す。図１１（ｂ）の例では、映画本編の情報は高密度記録層１０２に記録され、特典コンテンツは低密度記録層１０４に記録されているとする。
【０１４６】
この表示方法によれば、ユーザは特典コンテンツの存在を知ることにより、間接的に低密度記録層１０４の存在を認識できるといえる。ユーザはハイブリッドディスクであることを意識しなくてよいため、どのような年齢層のユーザにも理解が容易である。ユーザは、リモコン（図示せず）等を操作して、視聴を希望するコンテンツ名が表示された枠１１３および１１４の一方をハイライトさせて確定することにより、間接的にＢＤ層またはＤＶＤ層を選択できる。
【０１４７】
図１１（ａ）及び（ｂ）で例示されるメニュー画面は、ＳＤ存在情報２０２５に基づいて再生装置３００によって表示される。このようなメニュー画面を構成するために、ＳＤ存在情報２０２５はハイライトされる枠の図形を構成するグラフィックデータを含んでいる。なお、多くの場合ハイライトされる図形は背景画像に重ね合わされて表示されるが、背景画像は圧縮された画像データである。これらのデータはＨＤデコーダ３１４０で伸長されて表示される。
【０１４８】
本実施形態の説明においては、枠１１２または枠１１４に対応するグラフィックデータは「低密度記録層への切替及びその再生」を示すコマンドとリンクしており、ＣＰＵ３０はこのコマンドを実行することにより上記した処理を実行する。このコマンドはＳＤ存在情報の一部として格納することができるが、これに限るものではなく例えばナビゲーション情報２０２２に格納してもよい。
【０１４９】
なお、高密度記録層１０２から情報を再生できる再生装置３００であれば、低密度記録層１０４にＨＤ存在情報２１２５とは別の新たなＨＤ存在情報（図示せず）に基づいて、図１１（ａ）および／または図１１（ｂ）に示す画面を表示してもよい。これにより、ユーザはＢＤ層のコンテンツおよびＤＶＤ層のコンテンツを任意に切り替えて視聴できる。ただし、この場合にはＤＶＤ層（低密度記録層）しか再生できない従来の再生装置が誤動作しないように、たとえば従来の再生装置がアクセスしない光ディスクの領域に新たなＨＤ存在情報を配置する必要がある。
【０１５０】
上述の実施形態においては、ＨＤＭＩインターフェースによってテレビセット３２０の性能情報を自動的に取得し、その結果を映像出力形式メモリ３１７に蓄積するとして説明した。しかし、これを、常にユーザが初期設定画面からデフォルトとして設定するようにしてもよい。このようにすれば、双方向のインターフェースを備えない再生装置、または接続するテレビセット３２０が双方向のインターフェースを備えていない場合にも本発明を適用できる。
【０１５１】
上述の実施形態においては、ハイブリッド情報２１は高密度記録層１０２のリードインに格納されるとしたが、これは例である。光ディスクの最小記録単位であるセクタのヘッダ情報部分に、ハイブリッド情報２１を複数格納してもよい。
【０１５２】
また、上述の実施形態では光ディスク１００には高密度記録層１０２および低密度記録層１０４が各１層存在するとして説明した。しかし、本発明はこれに限定されない。光ディスク１００においては、高密度記録層１０２および低密度記録層１０４の少なくとも一方が複数存在してもよい。
【０１５３】
実施形態の説明においては円盤状の光ディスクを例に挙げたが、これは例である。他の例として、光学的にデータを読み出しおよび書き込みできるカード等であってもよい。
【産業上の利用可能性】
【０１５４】
本発明による光記録媒体は、記録密度の異なる２つの記録層を備えた光記録媒体の一方の記録層上には、他方の記録層の存在を示す管理情報が記録されている。この管理情報に基づいて再生装置が他方の記録層の存在をユーザに提示することにより、ユーザはその層の存在を容易に認識できる。よって、本発明による光記録媒体およびその光記録媒体からの情報の再生に対応する再生装置を用いると、ユーザに対して情報再生時の利便性を非常に高くすることができる。
【図面の簡単な説明】
【０１５５】
【図１】本実施形態による光ディスク１００の積層構造を示す図である。
【図２】（ａ）は高密度記録層１０２のデータ構造を示す図であり、（ｂ）は低密度記録層１０４のデータ構造を示す図である。
【図３】高密度記録層１０２のリードイン２０１とハイブリッド情報２１との関係を示す図である。
【図４】本実施形態による再生装置３００の構成を示す図である。
【図５】再生装置３００の初期設定処理の手順を示すフローチャートである。
【図６】初期設定画面の表示例を示す図である。
【図７】再生装置３００の再生処理の手順を示すフローチャートである。
【図８】低密度記録層１０４の情報再生処理の手順を示すフローチャートである。
【図９】高密度記録層１０２の存在を示す画面表示例の図である。
【図１０】（ａ）および（ｂ）は、他の例による高密度記録層１０２および低密度記録層１０４のデータ構造の例を示す図である。
【図１１】（ａ）および（ｂ）は、それぞれ低密度記録層１０４の存在を直接的および間接的に示す画面表示例の図である。
【符号の説明】
【０１５６】
２１  ハイブリッド情報
１００  光ディスク
１０１  カバーガラス
１０２  高密度記録層
１０３、１０５  基材
１０４  低密度記録層
２０１、２１１  リードイン
３００  再生装置
３０１  ＣＰＵ
３０２  汎用メモリ
３１０  光ピックアップ
３１１  層識別部
３１２  層指示部
３１３  信号切替部
３１６  ユーザ入力インターフェース（Ｉ／Ｆ）
３１７  映像出力形式メモリ
３１８  接続インターフェース（Ｉ／Ｆ）
３１９  著作権情報処理部
３２０  テレビセット
３２１  ＴＶ
３２２  スピーカ
３３０  ＨＤＭＩケーブル
２０２５  ＳＤ存在情報
２１２５  ＨＤ存在情報
２０２４、２１２４  著作権管理情報
３１４０  ＨＤデコーダ
３１５０  ＳＤデコーダ
【手続補正３】
【補正対象書類名】図面
【補正対象項目名】全図
【補正方法】変更
【補正の内容】
【図１】
2006080350.tif 000017
【図２】
2006080350.tif 000018
【図３】
2006080350.tif 000019
【図４】
2006080350.tif 000020
【図５】
2006080350.tif 000021
【図６】
2006080350.tif 000022
【図７】
2006080350.tif 000023
【図８】
2006080350.tif 000024
【図９】
2006080350.tif 000025
【図１０】
2006080350.tif 000026
【図１１】
2006080350.tif 000027
【国際調査報告】
2006080350.tif 000028
2006080350.tif 000029
2006080350.tif 000030
2006080350.tif 000031
2006080350.tif 000032
2006080350.tif 000033
2006080350.tif 000034
2006080350.tif 000035
2006080350.tif 000036
2006080350.tif 000037
2006080350.tif 000038
2006080350.tif 000039
2006080350.tif 000040
2006080350.tif 000041
2006080350.tif 000042
2006080350.tif 000043
2006080350.tif 000044
2006080350.tif 000045
2006080350.tif 000046
2006080350.tif 000047
2006080350.tif 000048
2006080350.tif 000049
2006080350.tif 000050
2006080350.tif 000051
2006080350.tif 000052
2006080350.tif 000053